(57)【要約】  デュアル接続性動作において使用されるビームペアリンクプロシージャのための技法について本明細書で説明する。マスタ基地局は、２次基地局に関連付けられたダウンリンクチャネルを監視するためにユーザ機器（ＵＥ）のためのタイミングウィンドウを決定するように構成され得る。場合によっては、マスタ基地局は、デュアル接続性プロシージャ中にまたはキャリアアグリゲーションプロシージャ中にタイミングウィンドウを決定し得る。ＵＥは、タイミングウィンドウ中にダウンリンクチャネルを監視し、監視に基づいて２次基地局とのビームペアリンクを確立し得る。
2020533910.tif 000002
【特許請求の範囲】
【請求項１】
ワイヤレス通信のための方法であって、
第２の基地局からのダウンリンクビームを監視するための時間ウィンドウを示す時間ウィンドウメッセージを第１の基地局から受信することと、
前記時間ウィンドウメッセージを受信することに少なくとも部分的に基づいて前記時間ウィンドウ中に前記第２の基地局からの前記ダウンリンクビームを監視することと、ここにおいて、前記第２の基地局からの前記ダウンリンクビームを監視することは、デュアル接続性プロシージャの一部として実行される、
を備える、方法。
【請求項２】
前記デュアル接続性プロシージャにおいて、前記第１の基地局がマスタ基地局であり、前記第２の基地局が２次基地局である、請求項１に記載の方法。
【請求項３】
測定すべき１つまたは複数のビームのビームパラメータを示す測定メッセージを前記第１の基地局から受信することと、
前記測定メッセージを受信することに少なくとも部分的に基づいて前記ビームパラメータを含む測定報告を送信することと、ここにおいて、前記時間ウィンドウメッセージを受信することは、前記測定報告の送信に少なくとも部分的に基づく、
をさらに備える、請求項１に記載の方法。
【請求項４】
前記ダウンリンクビームを監視することに少なくとも部分的に基づいてビームペアリンクを確立すること
をさらに備える、請求項３に記載の方法。
【請求項５】
前記時間ウィンドウメッセージを受信することに少なくとも部分的に基づいて、同期信号ブロックが受信された受信ビームを使用して前記ダウンリンクビームについて監視するために１つまたは複数のスロットを識別すること、ここにおいて、前記ダウンリンクビームを監視することが、前記１つまたは複数のスロットを識別することに少なくとも部分的に基づく、
をさらに備える、請求項３に記載の方法。
【請求項６】
前記測定メッセージを受信することに少なくとも部分的に基づいて１つまたは複数のビームの前記ビームパラメータを測定すること、ここにおいて、前記測定報告を送信することが、前記ビームパラメータを測定することに少なくとも部分的に基づく、
をさらに備える、請求項３に記載の方法。
【請求項７】
前記測定メッセージを受信することに少なくとも部分的に基づいて単一の受信ビームを使用して前記１つまたは複数のビームの各々の前記ビームパラメータを測定することと、
前記１つまたは複数のビームの各々の前記ビームパラメータを測定することに少なくとも部分的に基づいて前記１つまたは複数のビームのうちの少なくとも１つのビームのビームインデックスを識別することと、ここにおいて、前記測定報告を送信することが、前記ビームインデックスを識別することに少なくとも部分的に基づく、
をさらに備える、請求項３に記載の方法。
【請求項８】
前記ダウンリンクビームを監視することに少なくとも部分的に基づいて決定された送信ビームを使用して第３のメッセージを送信すること
をさらに備える、請求項３に記載の方法。
【請求項９】
前記第３のメッセージが、ランダムアクセスチャネル（ＲＡＣＨ）メッセージ、サウンディング基準信号（ＳＲＳ：sounding reference signal）、またはスケジューリング要求（ＳＲ）である、請求項８に記載の方法。
【請求項１０】
前記測定メッセージが、デュアル接続性通信リンクを確立すべき前記第２の基地局を示し、前記１つまたは複数のビームが、前記第１の基地局とは異なる前記第２の基地局に関連付けられる、請求項３に記載の方法。
【請求項１１】
前記１つまたは複数のビームが、前記第２の基地局に関連付けられた同期信号ビームまたは前記第２の基地局に関連付けられたチャネル状態情報基準信号（ＣＳＩ−ＲＳ）ビームである、請求項３に記載の方法。
【請求項１２】
前記ダウンリンクビームが、物理ダウンリンク制御チャネル（ＰＤＣＣＨ）ビームである、請求項３に記載の方法。
【請求項１３】
前記第２の基地局のＵＬ送信が、前記ダウンリンクビームに基づく、請求項１２に記載の方法。
【請求項１４】
前記測定報告が、ビームインデックス、受信信号受信電力（ＲＳＲＰ）測定値、受信信号受信品質（ＲＳＲＱ）測定値、受信信号強度インジケータ（ＲＳＳＩ）測定値、信号対干渉雑音比（ＳＩＮＲ）測定値、またはそれらの組合せを含む、請求項３に記載の方法。
【請求項１５】
ワイヤレス通信のための方法であって、
複数の方向に複数のダウンリンクビームを送信することと、
前記送信されたダウンリンクビームのうちの少なくとも１つに少なくとも部分的に基づいてユーザ機器（ＵＥ）からアップリンクメッセージを受信することと、
前記アップリンクメッセージを受信することに基づいて前記ＵＥとのタイミングアラインメントを決定することと、
前記タイミングアラインメントを決定することに少なくとも部分的に基づいてビームペアリンクを確立することと
を備える、方法。
【請求項１６】
前記ビームペアリンクが、デュアル接続性プロシージャの一部として確立される、請求項１５に記載の方法。
【請求項１７】
前記アップリンクメッセージが、ランダムアクセスチャネル（ＲＡＣＨ）メッセージである、請求項１５に記載の方法。
【請求項１８】
前記アップリンクメッセージが、スケジューリング要求（ＳＲ）である、請求項１５に記載の方法。
【請求項１９】
複数の同期信号ビームを送信すること、ここにおいて、前記アップリンクメッセージを受信することが、前記複数の同期信号ビームを送信することに少なくとも部分的に基づく、をさらに備える、請求項１５に記載の方法。
【請求項２０】
ワイヤレス通信のための装置であって、
第２の基地局からのダウンリンクビームを監視するための時間ウィンドウを示す時間ウィンドウメッセージを第１の基地局から受信するための手段と、
前記時間ウィンドウメッセージを受信することに少なくとも部分的に基づいて前記時間ウィンドウ中に前記第２の基地局からの前記ダウンリンクビームを監視するための手段と、ここにおいて、前記第２の基地局からの前記ダウンリンクビームを監視することは、デュアル接続性プロシージャの一部として実行される、
を備える、装置。
【請求項２１】
測定すべき１つまたは複数のビームのビームパラメータを示す測定メッセージを前記第１の基地局から受信するための手段と、
前記測定メッセージを受信することに少なくとも部分的に基づいて前記ビームパラメータを含む測定報告を送信するための手段と、ここにおいて、前記時間ウィンドウメッセージを受信することは、前記測定報告の送信に少なくとも部分的に基づく、
をさらに備える、請求項２０に記載の装置。
【請求項２２】
前記ダウンリンクビームを監視することに少なくとも部分的に基づいてビームペアリンクを確立するための手段
をさらに備える、請求項２１に記載の装置。
【請求項２３】
前記時間ウィンドウメッセージを受信することに少なくとも部分的に基づいて、同期信号ブロックが受信された受信ビームを使用して前記ダウンリンクビームについて監視するために１つまたは複数のスロットを識別するための手段、ここにおいて、前記ダウンリンクビームを監視することが、前記１つまたは複数のスロットを識別することに少なくとも部分的に基づく、
をさらに備える、請求項２１に記載の装置。
【請求項２４】
前記測定メッセージを受信することに少なくとも部分的に基づいて１つまたは複数のビームの前記ビームパラメータを測定するための手段、ここにおいて、前記測定報告を送信することが、前記ビームパラメータを測定することに少なくとも部分的に基づく、
をさらに備える、請求項２１に記載の装置。
【請求項２５】
前記測定メッセージを受信することに少なくとも部分的に基づいて単一の受信ビームを使用して前記１つまたは複数のビームの各々の前記ビームパラメータを測定するための手段と、
前記１つまたは複数のビームの各々の前記ビームパラメータを測定することに少なくとも部分的に基づいて前記１つまたは複数のビームのうちの少なくとも１つのビームのビームインデックスを識別するための手段と、ここにおいて、前記測定報告を送信することが、前記ビームインデックスを識別することに少なくとも部分的に基づく、
をさらに備える、請求項２１に記載の装置。
２
【請求項２６】
前記ダウンリンクビームを監視することに少なくとも部分的に基づいて決定された送信ビームを使用して第３のメッセージを送信するための手段
をさらに備える、請求項２１に記載の装置。
【請求項２７】
前記測定メッセージが、デュアル接続性通信リンクを確立すべき前記第２の基地局を示し、前記１つまたは複数のビームが、前記第１の基地局とは異なる前記第２の基地局に関連付けられる、請求項２１に記載の装置。
【請求項２８】
前記１つまたは複数のビームが、前記第２の基地局に関連付けられた同期信号ビームまたは前記第２の基地局に関連付けられたチャネル状態情報基準信号（ＣＳＩ−ＲＳ）ビームである、請求項２１に記載の装置。
【請求項２９】
前記ダウンリンクビームが、物理ダウンリンク制御チャネル（ＰＤＣＣＨ）ビームである、請求項２１に記載の装置。
【請求項３０】
ワイヤレス通信のための装置であって、
複数の方向に複数のダウンリンクビームを送信するための手段と、
前記送信されたダウンリンクビームのうちの少なくとも１つに少なくとも部分的に基づいてユーザ機器（ＵＥ）からアップリンクメッセージを受信するための手段と、
前記アップリンクメッセージを受信することに基づいて前記ＵＥとのタイミングアラインメントを決定するための手段と、
前記タイミングアラインメントを決定することに少なくとも部分的に基づいてビームペアリンクを確立するための手段と
を備える、装置。
【発明の詳細な説明】
【技術分野】
【０００１】
相互参照
[0001]  本特許出願は、２０１８年９月１１日に出願された、「Ｔｅｃｈｎｉｑｕｅｓ  Ｆｏｒ  Ｅｓｔａｂｌｉｓｈｉｎｇ  Ａ  Ｂｅａｍ  Ｐａｉｒ  Ｌｉｎｋ」と題するＪｏｈｎ  Ｗｉｌｓｏｎらによる米国特許出願第１６／１２８，３５５号および２０１７年９月１３日に出願された「Ｔｅｃｈｎｉｑｕｅｓ  Ｆｏｒ  Ｅｓｔａｂｌｉｓｈｉｎｇ  Ａ  Ｂｅａｍ  Ｐａｉｒ  Ｌｉｎｋ」と題するＪｏｈｎ  Ｗｉｌｓｏｎらによる米国仮特許出願第６２／５５８，１８７号の利益を主張する。
【０００２】
[0002]  以下は、一般に、ワイヤレス通信（wireless communication）に関し、より詳細には、ビームペアリンク（beam pair link）を確立する（establish）ための技法に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例は、ロングタームエボリューション（ＬＴＥ（登録商標））システムまたはＬＴＥアドバンスト（ＬＴＥ−Ａ）システムなどの第４世代（４Ｇ）システムおよび新無線（ＮＲ：New Radio）システムと呼ばれることがある第５世代（５Ｇ）システムを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散ＯＦＤＭ（ＤＦＴ−ｓ−ＯＦＤＭ）などの技術を採用し得る。ワイヤレス多元接続通信システムは、場合によってはユーザ機器（ＵＥ：user equipment）として知られていることがある、複数の通信デバイスのための通信を各々が同時にサポートする、いくつかの基地局またはネットワークアクセスノードを含み得る。
【０００４】
[0004]  いくつかのワイヤレス通信システムは、通信リンクを確立するために指向性ビーム（directional beams）を使用し得る。これらのワイヤレス通信システムでは、指向性送信ビーム（directional transmission beam）と指向性受信ビーム（directional reception beam）との両方を含むビームペアリンクが確立され得る。さらに、これらのワイヤレス通信システムはまた、デュアル接続性動作（dual connectivity operation）をサポートし得る。
【発明の概要】
【０００５】
[0005]  説明される技法は、ビームペアリンクを確立するための技法をサポートする改善された方法、システム、デバイス、または装置に関する。概して、説明される技法は、デュアル接続性動作において使用されるビームペアリンクプロシージャ（beam pair link procedure）のための技法を提供する。マスタ基地局（master base station）は、２次基地局（secondary base station）に関連付けられたダウンリンクチャネル（downlink channel）を監視する（monitor）ためにＵＥのためのタイミングウィンドウ（timing window）を決定するように構成され得る。場合によっては、マスタ基地局は、デュアル接続性プロシージャ（dual connectivity procedure）中にまたはキャリアアグリゲーションプロシージャ（carrier aggregation procedure）中にタイミングウィンドウを決定し得る。ＵＥは、タイミングウィンドウ中にダウンリンクチャネルを監視し、監視に基づいて２次基地局とのビームペアリンクを確立し得る。
【０００６】
[0006]  ワイヤレス通信の方法について説明する。本方法は、第２の基地局（second base station）からのダウンリンクビーム（downlink beam）を監視するための時間ウィンドウ（time window）を示す時間ウィンドウメッセージ（time window message）を第１の基地局（first base station）から受信することと、時間ウィンドウメッセージを受信することに基づいて時間ウィンドウ中に第２の基地局からのダウンリンクビームを監視することと、ここで、第２の基地局からのダウンリンクビームを監視することは、デュアル接続性プロシージャの一部として実行される、を含み得る。
【０００７】
[0007]  ワイヤレス通信のための装置について説明する。本装置は、プロセッサと、プロセッサと電子通信しているメモリと、メモリに記憶された命令とを含み得る。命令は、第２の基地局からのダウンリンクビームを監視するための時間ウィンドウを示す時間ウィンドウメッセージを第１の基地局から受信することと、時間ウィンドウメッセージを受信することに基づいて時間ウィンドウ中に第２の基地局からのダウンリンクビームを監視することと、ここで、第２の基地局からのダウンリンクビームを監視することは、デュアル接続性プロシージャの一部として実行される、を装置に行わせるためにプロセッサによって実行可能であり得る。
【０００８】
[0008]  ワイヤレス通信のための別の装置について説明する。本装置は、第２の基地局からのダウンリンクビームを監視するための時間ウィンドウを示す時間ウィンドウメッセージを第１の基地局から受信するための手段と、時間ウィンドウメッセージを受信することに基づいて時間ウィンドウ中に第２の基地局からのダウンリンクビームを監視するための手段と、ここで、第２の基地局からのダウンリンクビームを監視することは、デュアル接続性プロシージャの一部として実行される、を含み得る。
【０００９】
[0009]  ワイヤレス通信のためのコードを記憶した非一時的コンピュータ可読媒体（non-transitory computer-readable medium）について説明する。コードは、第２の基地局からのダウンリンクビームを監視するための時間ウィンドウを示す時間ウィンドウメッセージを第１の基地局から受信することと、時間ウィンドウメッセージを受信することに基づいて時間ウィンドウ中に第２の基地局からのダウンリンクビームを監視することと、ここで、第２の基地局からのダウンリンクビームを監視することは、デュアル接続性プロシージャの一部として実行される、を行うようにプロセッサによって実行可能な命令を含み得る。
【００１０】
[0010]  本明細書で説明される方法、装置、および非一時的コンピュータ可読媒体のいくつかの例は、測定すべき１つまたは複数のビームのビームパラメータ（beam parameter）を示す測定メッセージ（measurement message）を第１の基地局から受信することと、測定メッセージを受信することに基づいてビームパラメータを含む測定報告（measurement report）を送信することと、ここで、時間ウィンドウメッセージを受信することは、測定報告の送信に基づき得る、を行うための動作、機能、手段、または命令をさらに含み得る。
【００１１】
[0011]  本明細書で説明される方法、装置、および非一時的コンピュータ可読媒体のいくつかの例は、時間ウィンドウメッセージを受信することに基づいて、同期信号ブロック（synchronization signal block）が受信された受信ビーム（reception beam）を使用してダウンリンクビームについて監視するために１つまたは複数のスロット（slot）を識別すること、ここで、ダウンリンクビームを監視することが、１つまたは複数のスロットを識別することに基づき得る、を行うための動作、機能、手段、または命令をさらに含み得る。
【００１２】
[0012]  本明細書で説明される方法、装置、および非一時的コンピュータ可読媒体のいくつかの例は、測定メッセージを受信することに基づいて１つまたは複数のビームのビームパラメータを測定すること、ここで、測定報告を送信することが、ビームパラメータを測定することに基づき得る、を行うための動作、機能、手段、または命令をさらに含み得る。
【００１３】
[0013]  本明細書で説明される方法、装置、および非一時的コンピュータ可読媒体のいくつかの例は、測定メッセージを受信することに基づいて単一の受信ビーム（single reception beam）を使用して１つまたは複数のビームの各々のビームパラメータを測定することと、１つまたは複数のビームの各々のビームパラメータを測定することに基づいて１つまたは複数のビームのうちの少なくとも１つのビームのビームインデックス（beam index）を識別することと、ここで、測定報告を送信することが、ビームインデックスを識別することに基づき得る、を行うための動作、機能、手段、または命令をさらに含み得る。
【００１４】
[0014]  本明細書で説明される方法、装置、および非一時的コンピュータ可読媒体のいくつかの例は、ダウンリンクビームを監視することに基づいて送信ビームを使用して第３のメッセージ（third message）を送信することを行うための動作、機能、手段、または命令をさらに含み得る。
【００１５】
[0015]  本明細書で説明される方法、装置、および非一時的コンピュータ可読媒体のいくつかの例では、第３のメッセージは、ＲＡＣＨメッセージ、ＳＲＳ、またはスケジューリング要求（ＳＲ：scheduling request）であり得る。
【００１６】
[0016]  本明細書で説明される方法、装置、および非一時的コンピュータ可読媒体のいくつかの例は、ダウンリンクビームを監視することに基づいてビームペアリンクを確立することを行うための動作、機能、手段、または命令をさらに含み得る。
【００１７】
[0017]  本明細書で説明される方法、装置、および非一時的コンピュータ可読媒体のいくつかの例では、測定メッセージが、デュアル接続性通信リンク（dual connectivity communication link）を確立すべき第２の基地局を示し、１つまたは複数のビームが、第１の基地局とは異なる第２の基地局に関連付けられ得る。
【００１８】
[0018]  本明細書で説明される方法、装置、および非一時的コンピュータ可読媒体のいくつかの例では、１つまたは複数のビームが、第２の基地局に関連付けられた同期信号ビーム（synchronization signal beam）または第２の基地局に関連付けられたチャネル状態情報基準信号（ＣＳＩ−ＲＳ：channel state information reference signal）ビームであり得る。
【００１９】
[0019]  本明細書で説明される方法、装置、および非一時的コンピュータ可読媒体のいくつかの例では、ダウンリンクビームは、ＰＤＣＣＨビームであり得る。
【００２０】
[0020]  本明細書で説明される方法、装置、および非一時的コンピュータ可読媒体のいくつかの例では、第２の基地局のＵＬ送信は、ダウンリンクビームに基づき得る。
【００２１】
[0021]  本明細書で説明される方法、装置、および非一時的コンピュータ可読媒体のいくつかの例では、測定報告は、ビームインデックス、受信信号受信電力（ＲＳＲＰ：received signal received power）測定値、受信信号受信品質（ＲＳＲＱ：received signal received quality）測定値、受信信号強度インジケータ（ＲＳＳＩ：received signal strength indicator）測定値、信号対干渉雑音比（ＳＩＮＲ：signal-to-interference-plus-noise ratio）測定値、またはそれらの組合せを含む。
【００２２】
[0022]  ワイヤレス通信の方法について説明する。本方法は、方向（direction）の１セットにダウンリンクビームの１セットを送信することと、送信されたダウンリンクビームのうちの少なくとも１つに基づいてＵＥからアップリンクメッセージ（uplink message）を受信することと、アップリンクメッセージを受信することに基づいてＵＥとのタイミングアラインメント（timing alignment）を決定することと、タイミングアラインメントを決定することに基づいてビームペアリンクを確立することとを含み得る。
【００２３】
[0023]  ワイヤレス通信のための装置について説明する。本装置は、プロセッサと、プロセッサと電子通信しているメモリと、メモリに記憶された命令とを含み得る。命令は、方向のセットにダウンリンクビームのセットを送信することと、送信されたダウンリンクビームのうちの少なくとも１つに基づいてＵＥからアップリンクメッセージを受信することと、アップリンクメッセージを受信することに基づいてＵＥとのタイミングアラインメントを決定することと、タイミングアラインメントを決定することに基づいてビームペアリンクを確立することとを装置に行わせるためにプロセッサによって実行可能であり得る。
【００２４】
[0024]  ワイヤレス通信のための別の装置について説明する。本装置は、方向のセットにダウンリンクビームのセットを送信するための手段と、送信されたダウンリンクビームのうちの少なくとも１つに基づいてＵＥからアップリンクメッセージを受信するための手段と、アップリンクメッセージを受信することに基づいてＵＥとのタイミングアラインメントを決定するための手段と、タイミングアラインメントを決定することに基づいてビームペアリンクを確立するための手段とを含み得る。
【００２５】
[0025]  ワイヤレス通信のためのコードを記憶する非一時的コンピュータ可読媒体について説明する。コードは、方向のセットにダウンリンクビームのセットを送信することと、送信されたダウンリンクビームのうちの少なくとも１つに基づいてＵＥからアップリンクメッセージを受信することと、アップリンクメッセージを受信することに基づいてＵＥとのタイミングアラインメントを決定することと、タイミングアラインメントを決定することに基づいてビームペアリンクを確立することとを行うようにプロセッサによって実行可能な命令を含み得る。
【００２６】
[0026]  本明細書で説明される方法、装置、および非一時的コンピュータ可読媒体のいくつかの例では、ビームペアリンクは、デュアル接続性プロシージャの一部として確立され得る。
【００２７】
[0027]  本明細書で説明される方法、装置、および非一時的コンピュータ可読媒体のいくつかの例では、アップリンクメッセージは、ＲＡＣＨメッセージであり得る。
【００２８】
[0028]  本明細書で説明される方法、装置、および非一時的コンピュータ可読媒体のいくつかの例では、アップリンクメッセージは、スケジューリング要求（ＳＲ）であり得る。
【００２９】
[0029]  本明細書で説明される方法、装置、および非一時的コンピュータ可読媒体のいくつかの例は、同期信号ビームのセットを送信すること、ここで、アップリンクメッセージを受信することが、同期信号ビームのセットを送信することに基づき得る、を行うための動作、機能、手段、または命令をさらに含み得る。
【００３０】
[0030]  本明細書で説明される方法、装置、および非一時的コンピュータ可読媒体のいくつかの例は、測定すべき１つまたは複数のビームのビームパラメータを示す測定メッセージを第１の基地局から受信することをさらに含み、測定メッセージを受信することに基づいてビームパラメータを含む測定報告を送信し得、ここで、時間ウィンドウメッセージを受信することは、測定報告の送信に基づき得る、を行うための動作、機能、手段、または命令をさらに含み得る。
【００３１】
[0031]  本明細書で説明される方法、装置、および非一時的コンピュータ可読媒体のいくつかの例は、時間ウィンドウメッセージを受信することに少なくとも部分的に基づいて、同期信号ブロックが受信された受信ビームを使用してダウンリンクビームについて監視するために１つまたは複数のスロットを識別すること、ここで、ダウンリンクビームを監視することが、１つまたは複数のスロットを識別することに基づき得る、を行うための動作、機能、手段、または命令をさらに含み得る。
【００３２】
[0032]  本明細書で説明される方法、装置、および非一時的コンピュータ可読媒体のいくつかの例は、測定メッセージを受信することに基づいて１つまたは複数のビームのビームパラメータを測定すること、ここで、測定報告を送信することが、ビームパラメータを測定することに基づき得る、を行うための動作、機能、手段、または命令をさらに含み得る。
【００３３】
[0033]  本明細書で説明される方法、装置、および非一時的コンピュータ可読媒体のいくつかの例は、測定メッセージを受信することに基づいて単一の受信ビームを使用して１つまたは複数のビームの各々のビームパラメータを測定することを含み、１つまたは複数のビームの各々のビームパラメータを測定することに基づいて１つまたは複数のビームのうちの少なくとも１つのビームのビームインデックスを識別し得、ここで、測定報告を送信することが、ビームインデックスを識別することに基づき得る、を行うための動作、機能、手段、または命令をさらに含み得る。
【００３４】
[0034]  本明細書で説明される方法、装置、および非一時的コンピュータ可読媒体のいくつかの例は、ダウンリンクビームを監視することに基づいて送信ビームを使用して第３のメッセージを送信することを行うための動作、機能、手段、または命令をさらに含み得る。
【００３５】
[0035]  本明細書で説明される方法、装置、および非一時的コンピュータ可読媒体のいくつかの例では、第３のメッセージは、ＲＡＣＨメッセージ、ＳＲＳ、またはスケジューリング要求（ＳＲ）であり得る。
【００３６】
[0036]  本明細書で説明される方法、装置、および非一時的コンピュータ可読媒体のいくつかの例は、ダウンリンクビームを監視することに基づいてビームペアリンクを確立することを行うための動作、機能、手段、または命令をさらに含み得る。
【００３７】
[0037]  本明細書で説明される方法、装置、および非一時的コンピュータ可読媒体のいくつかの例では、測定メッセージが、デュアル接続性通信リンクを確立すべき第２の基地局を示し、１つまたは複数のビームが、第１の基地局とは異なる第２の基地局に関連付けられ得る。
【００３８】
[0038]  本明細書で説明される方法、装置、および非一時的コンピュータ可読媒体のいくつかの例では、１つまたは複数のビームが、第２の基地局に関連付けられた同期信号ビームまたは第２の基地局に関連付けられたチャネル状態情報基準信号（ＣＳＩ−ＲＳ）ビームであり得る。
【００３９】
[0039]  本明細書で説明される方法、装置、および非一時的コンピュータ可読媒体のいくつかの例では、ダウンリンク信号は、ＰＤＣＣＨビームであり得る。
【００４０】
[0040]  本明細書で説明される方法、装置、および非一時的コンピュータ可読媒体のいくつかの例では、測定報告は、ビームインデックス、受信信号受信電力（ＲＳＲＰ）測定値、受信信号受信品質（ＲＳＲＱ）測定値、受信信号強度インジケータ（ＲＳＳＩ）測定値、信号対干渉雑音比（ＳＩＮＲ）測定値、またはそれらの任意の組合せを含む。
【００４１】
[0041]  ワイヤレス通信の方法について説明する。本方法は、プロセッサと、プロセッサと電子通信しているメモリと、メモリに記憶され、プロセッサによって実行されたとき、送信されたダウンリンクビームのうちの少なくとも１つに基づいてＵＥからアップリンクメッセージを受信することと、アップリンクメッセージを受信することに基づいてＵＥとのタイミングアラインメントを決定することと、タイミングアラインメントを決定することに基づいてビームペアリンクを確立することとを装置に行わせるように動作可能な命令とを含み得る。
【００４２】
[0042]  ワイヤレス通信のための装置について説明する。本装置は、プロセッサと、プロセッサと電子通信しているメモリと、メモリに記憶された命令とを含み得る。命令は、送信されたダウンリンクビームのうちの少なくとも１つに基づいてＵＥからアップリンクメッセージを受信することと、アップリンクメッセージを受信することに基づいてＵＥとのタイミングアラインメントを決定することと、タイミングアラインメントを決定することに基づいてビームペアリンクを確立することとを装置に行わせるためにプロセッサによって実行可能であり得る。
【００４３】
[0043]  ワイヤレス通信のための別の装置について説明する。本装置は、プロセッサと、プロセッサと電子通信しているメモリと、メモリに記憶され、プロセッサによって実行されたとき、送信されたダウンリンクビームのうちの少なくとも１つに基づいてＵＥからアップリンクメッセージを受信することと、アップリンクメッセージを受信することに基づいてＵＥとのタイミングアラインメントを決定することと、タイミングアラインメントを決定することに基づいてビームペアリンクを確立することとを装置に行わせるように動作可能な命令とのための手段を含み得る。
【００４４】
[0044]  ワイヤレス通信のためのコードを記憶する非一時的コンピュータ可読媒体について説明する。コードは、送信されたダウンリンクビームのうちの少なくとも１つに基づいてＵＥからアップリンクメッセージを受信することと、アップリンクメッセージを受信することに基づいてＵＥとのタイミングアラインメントを決定することと、タイミングアラインメントを決定することに基づいてビームペアリンクを確立することとを装置に行わせるためにプロセッサによって実行可能な命令を含み得る。
【図面の簡単な説明】
【００４５】
【図１】[0045]  本開示の態様による、ビームペアリンクを確立するための技法をサポートするワイヤレス通信のためのシステムの一例を示す図。
【図２】[0046]  本開示の態様による、ビームペアリンクを確立するための技法をサポートするワイヤレス通信システムの一例を示す図。
【図３】[0047]  本開示の態様による、ビームペアリンクを確立するための技法をサポートする通信方式の一例を示す図。
【図４】[0048]  本開示の態様による、ビームペアリンクを確立するための技法をサポートするデバイスのブロック図。
【図５】本開示の態様による、ビームペアリンクを確立するための技法をサポートするデバイスのブロック図。
【図６】本開示の態様による、ビームペアリンクを確立するための技法をサポートするデバイスのブロック図。
【図７】[0049]  本開示の態様による、ビームペアリンクを確立するための技法をサポートするＵＥを含むシステムのブロック図。
【図８】[0050]  本開示の態様による、ビームペアリンクを確立するための技法をサポートするデバイスのブロック図。
【図９】本開示の態様による、ビームペアリンクを確立するための技法をサポートするデバイスのブロック図。
【図１０】本開示の態様による、ビームペアリンクを確立するための技法をサポートするデバイスのブロック図。
【図１１】[0051]  本開示の態様による、ビームペアリンクを確立するための技法をサポートする基地局を含むシステムのブロック図。
【図１２】[0052]  本開示の態様による、ビームペアリンクを確立するための技法のための方法を示す図。
【図１３】本開示の態様による、ビームペアリンクを確立するための技法のための方法を示す図。
【図１４】本開示の態様による、ビームペアリンクを確立するための技法のための方法を示す図。
【図１５】本開示の態様による、ビームペアリンクを確立するための技法のための方法を示す図。
【発明を実施するための形態】
【００４６】
[0053]  いくつかのワイヤレス通信システムは、デュアル接続性動作と指向性ビームを使用して確立される通信リンクとの両方をサポートする。デュアル接続性プロシージャにおいてセカンダリセルグループ（ＳＣＧ：secondary cell group）のプライマリセカンドセル（ＰＳＣｅｌｌ：primary second cell）との指向性通信リンクを確立するときに、マスタセルグループ（ＭＣＧ：master cell group）のプライマリセル（ＰＣｅｌｌ：primary cell）のＵＥとマスタ基地局とは、ＰＳＣｅｌｌとのビームペアリンクを確立するのを容易にするために情報を交換し得る。
【００４７】
[0054]  デュアル接続性動作において使用されるビームペアリンクプロシージャのための技法について本明細書で説明する。マスタ基地局は、２次基地局に関連付けられたダウンリンクチャネルを監視するためにＵＥのためのタイミングウィンドウを決定するように構成され得る。場合によっては、マスタ基地局は、デュアル接続性プロシージャ中にまたはキャリアアグリゲーションプロシージャ中にタイミングウィンドウを決定し得る。ＵＥは、タイミングウィンドウ中にダウンリンクチャネルを監視し、監視に基づいて２次基地局とのビームペアリンクを確立し得る。
【００４８】
[0055]  本開示の態様について、初めにワイヤレス通信システムのコンテキストにおいて説明する。本開示の態様について、ビームペアリンクを確立するための技法に関する通信方式のコンテキストにおいて説明する。本開示の態様を、さらに、ビームペアリンクを確立するための技法に関する装置図、システム図、およびフローチャートによって示し、それらを参照しながら説明する。
【００４９】
[0056]  図１に、本開示の様々な態様によるワイヤレス通信システム１００の一例を示す。ワイヤレス通信システム１００は、基地局１０５と、ＵＥ１１５と、コアネットワーク（core network）１３０とを含む。いくつかの例では、ワイヤレス通信システム１００は、ロングタームエボリューション（ＬＴＥ）ネットワーク、ＬＴＥアドバンスト（ＬＴＥ−Ａ）ネットワーク、または新無線（ＮＲ）ネットワークであり得る。場合によっては、ワイヤレス通信システム１００は、拡張ブロードバンド通信、超高信頼（たとえば、ミッションクリティカル（mission critical））通信、低レイテンシ通信（low latency communication）、または低コストおよび低複雑度デバイス（low-cost and low-complexity devices）を用いた通信をサポートし得る。
【００５０】
[0057]  基地局１０５は、１つまたは複数の基地局アンテナを介してＵＥ１１５とワイヤレスに通信し得る。本明細書で説明される基地局１０５は、基地トランシーバ局、無線基地局、アクセスポイント、無線トランシーバ、ノードＢ、ｅノードＢ（ｅＮＢ）、（いずれもｇＮＢと呼ばれることがある）次世代ノードＢもしくはギガノードＢ、ホームノードＢ、ホームｅノードＢ、または何らかの他の好適な用語を含み得るか、または当業者によってそれらで呼ばれることがある。ワイヤレス通信システム１００は、異なるタイプの基地局１０５（たとえば、マクロセル基地局またはスモールセル基地局）を含み得る。本明細書で説明されるＵＥ１１５は、マクロｅＮＢ、スモールセルｅＮＢ、ｇＮＢ、リレー基地局などを含む様々なタイプの基地局１０５およびネットワーク機器と通信することが可能であり得る。
【００５１】
[0058]  各基地局１０５は、様々なＵＥ１１５との通信がサポートされ得る特定の地理的カバレージエリア１１０に関連付けられ得る。各基地局１０５は、通信リンク１２５を介してそれぞれの地理的カバレージエリア１１０に通信カバレージを与え得、基地局１０５とＵＥ１１５との間の通信リンク１２５は、１つまたは複数のキャリアを利用し得る。ワイヤレス通信システム１００に示されている通信リンク１２５は、ＵＥ１１５から基地局１０５へのアップリンク送信、または基地局１０５からＵＥ１１５へのダウンリンク送信を含み得る。ダウンリンク送信は順方向リンク送信と呼ばれることもあり、一方アップリンク送信は逆方向リンク送信と呼ばれることもある。
【００５２】
[0059]  基地局１０５のための地理的カバレージエリア１１０は、地理的カバレージエリア１１０の一部分のみを構成するセクタに分割され得、各セクタは、セルに関連付けられ得る。たとえば、各基地局１０５は、マクロセル、スモールセル、ホットスポット、もしくは他のタイプのセル、またはそれらの様々な組合せに通信カバレージを与え得る。いくつかの例では、基地局１０５は、移動可能であり、したがって、移動する地理的カバレージエリア１１０に通信カバレージを与え得る。いくつかの例では、異なる技術に関連付けられた異なる地理的カバレージエリア１１０が重複し得、異なる技術に関連付けられた重複する地理的カバレージエリア１１０は、同じ基地局１０５によってまたは異なる基地局１０５によってサポートされ得る。ワイヤレス通信システム１００は、異なるタイプの基地局１０５が様々な地理的カバレージエリア１１０にカバレージを与える、たとえば、異種ＬＴＥ／ＬＴＥ−ＡまたはＮＲネットワークを含み得る。
【００５３】
[0060]  「セル」という用語は、（たとえば、キャリアを介した）基地局１０５との通信のために使用される論理通信エンティティを指し、同じまたは異なるキャリアを介して動作する隣接セルを区別するための識別子（たとえば、物理セル識別子（ＰＣＩＤ）、仮想セル識別子（ＶＣＩＤ））に関連付けられ得る。いくつかの例では、キャリアは、複数のセルをサポートし得、異なるセルは、異なるタイプのデバイスにアクセスを与え得る異なるプロトコルタイプ（たとえば、マシン型通信（ＭＴＣ：machine-type communication）、狭帯域モノのインターネット（ＮＢ−ＩｏＴ）、拡張モバイルブロードバンド（ｅＭＢＢ）など）に従って構成され得る。場合によっては、「セル」という用語は、論理エンティティが動作する地理的カバレージエリア１１０の一部分（たとえば、セクタ）を指すことがある。
【００５４】
[0061]  ＵＥ１１５は、ワイヤレス通信システム１００全体にわたって分散され得、各ＵＥ１１５は固定型または移動型であり得る。ＵＥ１１５は、モバイルデバイス、ワイヤレスデバイス、リモートデバイス、ハンドヘルドデバイス、もしくは加入者デバイス、または何らかの他の好適な用語で呼ばれることもあり、ここで、「デバイス」は、ユニット、局、端末、またはクライアントと呼ばれることもある。ＵＥ１１５はまた、セルラー電話、携帯情報端末（ＰＤＡ）、タブレットコンピュータ、ラップトップコンピュータ、またはパーソナルコンピュータなどのパーソナル電子デバイスであり得る。いくつかの例では、ＵＥ１１５はまた、器具、ビークル、メーターなどの様々な物品中に実装され得るワイヤレスローカルループ（ＷＬＬ）局、モノのインターネット（ＩｏＴ）デバイス、すべてのインターネット（ＩｏＥ）デバイス、またはＭＴＣデバイスなどを指すことがある。
【００５５】
[0062]  ＭＴＣデバイスまたはＩｏＴデバイスなど、いくつかのＵＥ１１５は、低コストまたは低複雑度デバイスであり得、（たとえば、マシンツーマシン（Ｍ２Ｍ）通信を介した）マシン間の自動通信を与え得る。Ｍ２Ｍ通信またはＭＴＣは、デバイスが人の介入なしに互いにまたは基地局１０５と通信することを可能にするデータ通信技術を指すことがある。いくつかの例では、Ｍ２Ｍ通信またはＭＴＣは、情報を測定もしくはキャプチャするためにセンサーもしくはメーターを組み込み、情報を利用することができる中央サーバもしくはアプリケーションプログラムにその情報を中継するか、またはプログラムもしくはアプリケーションと対話する人間に情報を提示する、デバイスからの通信を含み得る。いくつかのＵＥ１１５は、情報を集めるか、またはマシンの自動化された挙動を可能にするように設計され得る。ＭＴＣデバイスのための適用例の例は、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金を含む。
【００５６】
[0063]  いくつかのＵＥ１１５は、半二重通信などの電力消費量を低減する動作モード（たとえば、送信と受信とを同時にではなく送信または受信を介した一方向通信をサポートするモード）を採用するように構成され得る。いくつかの例では、半二重通信は、低減されたピークレートで実行され得る。ＵＥ１１５のための他の電力節約技法は、アクティブ通信に従事していないときに電力節約する「ディープスリープ」モードに入ること、または（たとえば、狭帯域通信に従って）限定された帯域幅を介して動作することを含む。場合によっては、ＵＥ１１５は、重要な機能（たとえば、ミッションクリティカルな機能）をサポートするように設計され得、ワイヤレス通信システム１００は、これらの機能に超高信頼通信を与えるように構成され得る。
【００５７】
[0064]  場合によっては、ＵＥ１１５は、（たとえば、ピアツーピア（Ｐ２Ｐ）またはデバイス間（Ｄ２Ｄ）プロトコルを使用して）他のＵＥ１１５と直接通信することも可能であり得る。Ｄ２Ｄ通信を利用するＵＥ１１５のグループのうちの１つまたは複数は、基地局１０５の地理的カバレージエリア１１０内にあり得る。そのようなグループ中の他のＵＥ１１５は、基地局１０５の地理的カバレージエリア１１０外にあるか、またはさもなければ、基地局１０５からの送信を受信することができないことがある。いくつかの場合には、Ｄ２Ｄ通信を介して通信するＵＥ１１５のグループは、各ＵＥ１１５がグループ中のあらゆる他のＵＥ１１５に送信する１対多（１：Ｍ）システムを利用し得る。いくつかの場合には、基地局１０５が、Ｄ２Ｄ通信のためのリソースのスケジューリングを促進する。他の場合には、Ｄ２Ｄ通信は、基地局１０５の関与なしにＵＥ１１５との間で行われる。
【００５８】
[0065]  基地局１０５は、コアネットワーク１３０とおよび互いに通信し得る。たとえば、基地局１０５は、バックホールリンク（backhaul link）１３２を通して（たとえば、Ｓ１または他のインターフェースを介して）コアネットワーク１３０とインターフェースし得る。基地局１０５は、直接（たとえば、基地局１０５間で直接）または間接的に（たとえば、コアネットワーク１３０を介して）バックホールリンク１３４を介して（たとえば、Ｘ２または他のインターフェースを介して）互いに通信し得る。
【００５９】
[0066]  コアネットワーク１３０は、ユーザ認証と、アクセス許可と、トラッキングと、インターネットプロトコル（ＩＰ）接続性と、他のアクセス、ルーティング、またはモビリティ機能とを与え得る。コアネットワーク１３０は、少なくとも１つのモビリティ管理エンティティ（ＭＭＥ：mobility management entity）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含む場合がある発展型パケットコア（ＥＰＣ：evolved packet core）であり得る。ＭＭＥは、ＥＰＣに関連付けられた基地局１０５によってサービスされるＵＥ１１５のためのモビリティ、認証、およびベアラ管理などの非アクセス層（たとえば、制御プレーン）機能を管理し得る。ユーザＩＰパケットはＳ−ＧＷを介して転送され得、Ｓ−ＧＷ自体はＰ−ＧＷに接続され得る。Ｐ−ＧＷはＩＰアドレス割振りならびに他の機能を与え得る。Ｐ−ＧＷはネットワーク事業者ＩＰサービスに接続され得る。事業者ＩＰサービスは、インターネット、イントラネット、ＩＰマルチメディアサブシステム（ＩＭＳ）、またはパケット交換（ＰＳ）ストリーミングサービスへのアクセスを含み得る。
【００６０】
[0067]  基地局１０５など、ネットワークデバイスのうちの少なくともいくつかは、アクセスノードコントローラ（ＡＮＣ）の一例であり得る、アクセスネットワークエンティティなど、副構成要素を含み得る。各アクセスネットワークエンティティは、無線ヘッド、スマート無線ヘッド、または送信／受信ポイント（ＴＲＰ）と呼ばれることがあるいくつかの他のアクセスネットワーク送信エンティティを通してＵＥ１１５と通信し得る。いくつかの構成では、各アクセスネットワークエンティティまたは基地局１０５の様々な機能は、様々なネットワークデバイス（たとえば、無線ヘッドおよびアクセスネットワークコントローラ）にわたって分散されるか、または単一のネットワークデバイス（たとえば、基地局１０５）に統合され得る。
【００６１】
[0068]  ワイヤレス通信システム１００は、一般に、３００ＭＨｚから３００ＧＨｚの範囲の１つまたは複数の周波数帯域を使用して動作し得る。概して、３００ＭＨｚから３ＧＨｚまでの領域は、波長が約１デシメートルから１メートルまでの長さの範囲にあるので、極超短波（ＵＨＦ）領域またはデシメートル帯域として知られている。ＵＨＦ波は、建築物および環境特徴によって阻止またはリダイレクトされ得る。しかしながら、波は、マクロセルが屋内に位置するＵＥ１１５にサービスを提供するために構造を十分に透過し得る。ＵＨＦ波の送信は、３００ＭＨｚを下回るスペクトルの高周波（ＨＦ）または超短波（ＶＨＦ）部分のより小さい周波数およびより長い波を使用する送信と比較してより小さいアンテナおよびより短い距離（たとえば、１００ｋｍ未満）に関連付けられ得る。
【００６２】
[0069]  ワイヤレス通信システム１００はまた、センチメートル帯域としても知られる３ＧＨｚから３０ＧＨｚまでの周波数帯域を使用して超高周波（ＳＨＦ）領域で動作し得る。ＳＨＦ領域は、他のユーザからの干渉を許容することができるデバイスによって機会主義的に使用され得る５ＧＨｚの産業科学医療用（ＩＳＭ：industrial, scientific, and medical）帯域などの帯域を含む。
【００６３】
[0070]  ワイヤレス通信システム１００はまた、ミリメートル帯域としても知られる（たとえば、３０ＧＨｚから３００ＧＨｚまでの）スペクトルの極高周波（ＥＨＦ）領域で動作し得る。いくつかの例では、ワイヤレス通信システム１００は、ＵＥ１１５と基地局１０５との間のミリメートル波（ｍｍＷ：millimeter wave）通信をサポートし得、それぞれのデバイスのＥＨＦアンテナは、ＵＨＦアンテナよりもさらに小さく、さらに狭い間隔にあり得る。場合によっては、これは、ＵＥ１１５内でのアンテナアレイの使用を容易にし得る。しかしながら、ＥＨＦ送信の伝搬は、ＳＨＦまたはＵＨＦ送信よりも一層大きい大気減衰を受け、距離が短くなり得る。本明細書で開示する技法は、１つまたは複数の異なる周波数領域を使用する送信にわたって採用され得、これらの周波数領域にわたる帯域の指定された使用は、国または規制主体によって異なり得る。
【００６４】
[0071]  いくつかの場合には、ワイヤレス通信システム１００は、認可無線周波数スペクトル帯域（licensed radio frequency spectrum band）と無認可無線周波数スペクトル帯域（unlicensed radio frequency spectrum band）の両方を利用し得る。たとえば、ワイヤレス通信システム１００は、５ＧＨｚのＩＳＭ帯域などの無認可帯域中でライセンス支援型アクセス（ＬＡＡ：License Assisted Access）、ＬＴＥ−無認可（ＬＴＥ−Ｕ）無線アクセス技術またはＮＲ技術を採用し得る。無認可無線周波数スペクトル帯域中で動作するとき、基地局１０５およびＵＥ１１５などのワイヤレスデバイスは、データを送信する前に周波数チャネルがクリアであることを保証するために、リッスンビフォアトーク（ＬＢＴ：listen-before-talk）プロシージャを採用し得る。場合によっては、無認可帯域中の動作は、認可帯域（たとえば、ＬＡＡ）中で動作するＣＣとともに、ＣＡ構成に基づき得る。無認可スペクトルにおける動作は、ダウンリンク送信、アップリンク送信、ピアツーピア送信、またはこれらの組合せを含み得る。無認可スペクトル中の複信は、周波数分割複信（ＦＤＤ）、時分割複信（ＴＤＤ）、またはその両方の組合せに基づき得る。
【００６５】
[0072]  いくつかの例では、基地局１０５またはＵＥ１１５は、複数のアンテナを装備し得、複数のアンテナは、送信ダイバーシティ、受信ダイバーシティ、多入力多出力（ＭＩＭＯ）通信、またはビームフォーミングなどの技法を採用するために使用され得る。たとえば、ワイヤレス通信システム１００は、送信デバイス（たとえば、基地局１０５）と受信デバイス（たとえば、ＵＥ１１５）との間で送信方式を使用し得、ここで、送信デバイスは、複数のアンテナを装備し、受信デバイスは、１つまたは複数のアンテナを装備する。ＭＩＭＯ通信は、空間多重化と呼ばれることがある異なる空間レイヤを介して複数の信号を送信または受信することによってスペクトル効率を増加させるためにマルチパス信号伝搬を採用し得る。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム（たとえば、同じコードワード）または異なるデータストリームに関連付けられたビットを搬送し得る。異なる空間レイヤは、チャネル測定および報告のために使用される異なるアンテナポートに関連付けられ得る。ＭＩＭＯ技法は、複数の空間レイヤが同じ受信デバイスに送信されるシングルユーザＭＩＭＯ（ＳＵ−ＭＩＭＯ）と、複数の空間レイヤが複数のデバイスに送信されるマルチユーザＭＩＭＯ（ＭＵ−ＭＩＭＯ）とを含む。
【００６６】
[0073]  空間フィルタ処理、指向性送信、または指向性受信と呼ばれることもあるビームフォーミングは、送信デバイスと受信デバイスとの間の空間経路に沿ってアンテナビーム（たとえば、送信ビームまたは受信ビーム）を成形または誘導するために送信デバイスまたは受信デバイス（たとえば、基地局１０５またはＵＥ１１５）において使用され得る信号処理技法である。ビームフォーミングは、アンテナアレイに対して特定の向きに伝搬する信号が強め合う干渉を受ける一方で他のものが弱め合う干渉を受けるようにアンテナアレイのアンテナ要素を介して通信される信号を組み合わせることによって達成され得る。アンテナ要素を介して通信される信号の調整は、デバイスに関連付けられたアンテナ要素の各々を介して搬送される信号にある振幅および位相オフセットを適用する送信デバイスまたは受信デバイスを含み得る。アンテナ要素の各々に関連付けられた調整は、（たとえば、送信デバイスもしくは受信デバイスのアンテナアレイに対して、またはいくつかの他の向きに対して）特定の向きに関連付けられたビームフォーミング重みセットによって定義され得る。
【００６７】
[0074]  一例では、基地局１０５は、ＵＥ１１５との指向性通信のためのビームフォーミング動作を行うために、複数のアンテナまたはアンテナアレイを使用し得る。たとえば、いくつかの信号（たとえば、同期信号、基準信号、ビーム選択信号、または他の制御信号）は、異なる方向に複数回基地局１０５によって送信され得、送信の異なる方向に関連付けられた異なるビームフォーミング重みセットに従って送信されている信号を含み得る。異なるビーム方向への送信は、基地局１０５によって後続の送信および／または受信のためのビーム方向を識別するために（たとえば、基地局１０５またはＵＥ１１５などの受信デバイスによって）使用され得る。特定の受信デバイスに関連付けられたデータ信号などのいくつかの信号は、単一のビーム方向（たとえば、ＵＥ１１５などの受信デバイスに関連付けられた方向）に基地局１０５によって送信され得る。いくつかの例では、単一のビーム方向に沿った送信に関連付けられたビーム方向は、異なるビーム方向に送信された信号に少なくともイン部分的に基づいて決定され得る。たとえば、ＵＥ１１５は、異なる方向に基地局１０５によって送信された信号のうちの１つまたは複数を受信し得、ＵＥ１１５は、それが最高の信号品質または別様の許容できる信号品質で受信した信号の指示を基地局１０５に報告し得る。これらの技法について、基地局１０５によって１つまたは複数の方向に送信される信号に関して説明するが、ＵＥ１１５は、（たとえば、ＵＥ１１５による後続の送信または受信のためのビーム方向を識別するために）異なる方向に複数回信号を送信すること、または（たとえば、受信デバイスにデータを送信するために）単一の方向に信号を送信することを行うために同様の技法を採用し得る。
【００６８】
[0075]  受信デバイス（たとえば、ｍｍＷの受信デバイスの一例であり得るＵＥ１１５）は、同期信号、基準信号、ビーム選択信号、または他の制御信号などの基地局１０５からの様々な信号を受信するときに複数の受信ビームを試み得る。たとえば、受信デバイスは、異なるアンテナサブアレイを介して受信することによって、異なるアンテナサブアレイに従って受信信号を処理することによって、アンテナアレイの複数のアンテナ要素において受信された信号に適用される異なる受信ビームフォーミング重みセットに従って受信することによって、またはアンテナアレイの複数のアンテナ要素において受信された信号に適用される異なる受信ビームフォーミング重みセットに従って受信信号を処理することによって複数の受信方向を試み得、それらのいずれも、異なる受信ビームまたは受信方向に従って「リッスンすること（listening）」と呼ばれることがある。いくつかの例では、受信デバイスは、（たとえば、データ信号を受信するときに）単一のビーム方向に沿って受信するために単一の受信ビームを使用し得る。単一の受信ビームは、異なる受信ビーム方向（たとえば、複数のビーム方向に従ってリッスンすることに少なくとも部分的に基づいて最も高い信号強度、最も高い信号対雑音比、またはさもなければ許容できる信号品質を有すると決定されたビーム方向）に従ってリッスンすることに少なくとも部分的に基づいて決定されたビーム方向に整列され得る。
【００６９】
[0076]  場合によっては、基地局１０５またはＵＥ１１５のアンテナは、ＭＩＭＯ動作または送信もしくは受信ビームフォーミングをサポートし得る１つまたは複数のアンテナアレイ内に位置し得る。たとえば、１つまたは複数の基地局アンテナまたはアンテナアレイは、アンテナ塔などのアンテナアセンブリにコロケート（collocate）され得る。場合によっては、基地局１０５に関連付けられたアンテナまたはアンテナアレイは、多様な地理的位置に配置され得る。基地局１０５は、ＵＥ１１５との通信のビームフォーミングをサポートするために基地局１０５が使用し得るアンテナポートのいくつかの行および列をもつアンテナアレイを有し得る。同様に、ＵＥ１１５は、様々なＭＩＭＯまたはビームフォーミング動作をサポートし得る１つまたは複数のアンテナアレイを有し得る。
【００７０】
[0077]  場合によっては、ワイヤレス通信システム１００は、階層化プロトコルスタックに従って動作するパケットベースのネットワークであり得る。ユーザプレーンでは、ベアラまたはパケットデータコンバージェンスプロトコル（ＰＤＣＰ：Packet Data Convergence Protocol）レイヤにおける通信は、ＩＰベースであり得る。無線リンク制御（ＲＬＣ：Radio Link Control）レイヤは、場合によっては、論理チャネル上で通信するために、パケットのセグメンテーションおよびリアセンブリを実行し得る。媒体アクセス制御（ＭＡＣ）レイヤは、優先度処理、およびトランスポートチャネルへの論理チャネルの多重化を実行し得る。ＭＡＣレイヤはまた、リンク効率を改善するためにＭＡＣレイヤにおいて再送信を行うためにハイブリッド自動再送要求（ＨＡＲＱ：hybrid automatic repeat request）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と維持とを行い得る。物理（ＰＨＹ）レイヤにおいて、トランスポートチャネルは物理チャネルにマッピングされ得る。
【００７１】
[0078]  場合によっては、ＵＥ１１５および基地局１０５は、データが正常に受信される可能性を増加させるためにデータの再送信をサポートし得る。ＨＡＲＱフィードバックは、データが通信リンク１２５を介して正しく受信される可能性を増加させる１つの技法である。ＨＡＲＱは、（たとえば、巡回冗長検査（ＣＲＣ）を使用する）誤り検出、前方誤り訂正（ＦＥＣ）、および再送信（たとえば、自動再送要求（ＡＲＱ））の組合せを含み得る。ＨＡＲＱは、劣悪な無線状態（たとえば、信号対雑音状態）でのＭＡＣレイヤにおけるスループットを改善し得る。場合によっては、ワイヤレスデバイスは、デバイスがスロット中の前のシンボル中で受信されたデータについて特定のスロット中でＨＡＲＱフィードバックを与え得る同スロットＨＡＲＱフィードバックをサポートし得る。他の場合には、デバイスは、後続のスロット中でまたは何らかの他の時間間隔に従ってＨＡＲＱフィードバックを与え得る。
【００７２】
[0079]  ＬＴＥまたはＮＲにおける時間間隔は、たとえば、Ｔs＝１／３０，７２０，０００秒のサンプリング周期を指す基本時間単位の倍数で表され得る。通信リソースの時間間隔は、各々が１０ミリ秒（ｍｓ）の持続時間を有する無線フレームに従って編成され得、ここで、フレーム周期は、Ｔf＝３０７，２００Ｔsとして表され得る。無線フレームは、０から１０２３までにわたるシステムフレーム番号（ＳＦＮ）によって識別され得る。各フレームは、０から９まで番号付けされた１０個のサブフレームを含み得、各サブフレームは、１ｍｓの持続時間を有し得る。サブフレームは、各々が０．５ｍｓの持続時間を有する２つのスロットにさらに分割され得、各スロットは、（たとえば、各シンボル期間にプリペンドされたサイクリックプレフィックスの長さに応じて）６つまたは７つの変調シンボル期間を含み得る。サイクリックプレフィックスを除いて、各シンボル期間は、２０４８個のサンプリング周期を含み得る。場合によっては、サブフレームは、ワイヤレス通信システム１００の最も小さいスケジューリングユニットであり得、送信時間間隔（ＴＴＩ：transmission time interval）と呼ばれることがある。他の場合には、ワイヤレス通信システム１００の最も小さいスケジューリングユニットは、サブフレームよりも短くなり得るか、または（たとえば、短縮ＴＴＩ（ｓＴＴＩ）のバースト中でまたはｓＴＴＩを使用する選択されたコンポーネントキャリア中で）動的に選択され得る。
【００７３】
[0080]  いくつかのワイヤレス通信システムでは、スロットは、１つまたは複数のシンボルを含んでいる複数のミニスロットにさらに分割され得る。場合によっては、ミニスロットのシンボルまたはミニスロットは、スケジューリングの最も小さい単位であり得る。たとえば、各シンボルは、サブキャリア間隔または動作の周波数帯域に応じて持続時間中で変化し得る。さらに、いくつかのワイヤレス通信システムは、複数のスロットまたはミニスロットが互いにアグリゲートされ、ＵＥ１１５と基地局１０５との間の通信のために使用されるスロットアグリゲーション（slot aggregation）を実装し得る。
【００７４】
[0081]  「キャリア（carrier）」という用語は、通信リンク１２５を介した通信をサポートするための定義された物理レイヤ構造を有する無線周波数スペクトルリソースのセットを指す。たとえば、通信リンク１２５のキャリアは、所与の無線アクセス技術のための物理レイヤチャネルに従って動作する無線周波数スペクトル帯域の一部分を含み得る。各物理レイヤチャネルは、ユーザデータ、制御情報、または他のシグナリングを搬送し得る。キャリアは、あらかじめ定義された周波数チャネル（たとえば、Ｅ−ＵＴＲＡ絶対無線周波数チャネル番号（ＥＡＲＦＣＮ））に関連付けられ得、ＵＥ１１５による発見のためのチャネルラスタに従って配置され得る。キャリアは、（たとえば、ＦＤＤモードで）ダウンリンクまたはアップリンクであり得るか、または（たとえば、ＴＤＤモードで）ダウンリンクおよびアップリンク通信を搬送するように構成され得る。いくつかの例では、キャリアを介して送信される信号波形は、（たとえば、ＯＦＤＭまたはＤＦＴ−ｓ−ＯＦＤＭなどのマルチキャリア変調（ＭＣＭ：multi-carrier modulation）技法を使用して）複数のサブキャリアから構成され得る。
【００７５】
[0082]  キャリアの組織構造（organizational structure）は、無線アクセス技術（たとえば、ＬＴＥ、ＬＴＥ−Ａ、ＮＲなど）ごとに異なり得る。たとえば、キャリアを介した通信は、ＴＴＩまたはスロットに従って編成され得、その各々は、ユーザデータならびにユーザデータを復号するのをサポートするための制御情報またはシグナリングを含み得る。キャリアはまた、キャリアのための動作を協調させる専用の捕捉シグナリング（acquisition signaling）（たとえば、同期信号またはシステム情報など）と制御シグナリングとを含み得る。いくつかの例では（たとえば、キャリアアグリゲーション構成（carrier aggregation configuration）では）、キャリアはまた、他のキャリアのための動作を協調させる捕捉シグナリングまたは制御シグナリングを有し得る。
【００７６】
[0083]  物理チャネルは、様々な技法に従ってキャリア上で多重化され得る。物理制御チャネルと物理データチャネルとは、たとえば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネル中で送信される制御情報は、カスケード方式で異なる制御領域間で（たとえば、共通制御領域または共通探索空間と１つまたは複数のＵＥ固有制御領域またはＵＥ固有探索空間との間で）配信され得る。
【００７７】
[0084]  キャリアは、無線周波数スペクトルの特定の帯域幅に関連付けられ得、いくつかの例では、キャリア帯域幅は、キャリアまたはワイヤレス通信システム１００の「システム帯域幅（system bandwidth）」と呼ばれることがある。たとえば、キャリア帯域幅は、特定の無線アクセス技術のキャリアのための所定のいくつかの帯域幅のうちの１つ（たとえば、１．４、３、５、１０、１５、２０、４０、または８０ＭＨｚ）であり得る。いくつかの例では、各被サービスＵＥ１１５は、キャリア帯域幅の部分またはすべてを介して動作するように構成され得る。他の例では、いくつかのＵＥ１１５は、キャリア内のあらかじめ定義された部分または範囲（たとえば、サブキャリアまたはＲＢのセット）に関連付けられる狭帯域プロトコルタイプを使用した動作（たとえば、狭帯域プロトコルタイプの「帯域内」展開）のために構成され得る。
【００７８】
[0085]  ＭＣＭ技法を採用するシステムでは、リソース要素は、１つのシンボル期間（たとえば、１つの変調シンボルの持続時間）と１つのサブキャリアとからなり得、ここで、シンボル期間とサブキャリア間隔とは、逆関係にある。各リソース要素によって搬送されるビット数は、変調方式（たとえば、変調方式の次数（order））に依存し得る。したがって、ＵＥ１１５が受信するリソース要素が多いほど、また変調方式の次数が高いほど、ＵＥ１１５のデータレートは高くなり得る。ＭＩＭＯシステムでは、ワイヤレス通信リソースは、無線周波数スペクトルリソース、時間リソース、および空間リソース（たとえば、空間レイヤ）の組合せを指すことがあり、複数の空間レイヤの使用は、ＵＥ１１５との通信のためのデータレートをさらに増加させ得る。
【００７９】
[0086]  ワイヤレス通信システム１００のデバイス（たとえば、基地局１０５またはＵＥ１１５）は、特定のキャリア帯域幅を介した通信をサポートするハードウェア構成を有し得るか、またはキャリア帯域幅のセットのうちの１つを介した通信をサポートするように構成可能であり得る。いくつかの例では、ワイヤレス通信システム１００は、２つ以上の異なるキャリア帯域幅に関連付けられたキャリアを介した同時通信をサポートすることができる基地局１０５および／またはＵＥを含み得る。
【００８０】
[0087]  ワイヤレス通信システム１００は、複数のセルまたはキャリア上でのＵＥ１１５との通信、すなわち、キャリアアグリゲーション（ＣＡ：carrier aggregation）またはマルチキャリア動作と呼ばれることがある特徴をサポートし得る。ＵＥ１１５は、キャリアアグリゲーション構成に従って複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００８１】
[0088]  場合によっては、ワイヤレス通信システム１００は、拡張コンポーネントキャリア（ｅＣＣ：enhanced component carriers）を利用し得る。ｅＣＣは、より広いキャリアもしくは周波数チャネル帯域幅、より短いシンボル持続時間、より短いＴＴＩ持続時間、または変更された制御チャネル構成を含む１つまたは複数の特徴によって特徴づけられ得る。場合によっては、ｅＣＣは、（たとえば、複数のサービングセルが準最適または非理想バックホールリンクを有するときに）キャリアアグリゲーション構成またはデュアル接続性構成（dual connectivity configuration）に関連付けられ得る。ｅＣＣはまた、（たとえば、２つ以上の事業者がスペクトルを使用することを許可された場合）無認可スペクトルまたは共有スペクトル中で使用するように構成され得る。広いキャリア帯域幅によって特徴づけられるｅＣＣは、キャリア帯域幅全体を監視することが可能でないか、場合によっては（たとえば、電力を節約するために）限られたキャリア帯域幅を使用するように構成されたＵＥ１１５によって利用され得る１つまたは複数のセグメントを含み得る。
【００８２】
[0089]  場合によっては、ｅＣＣは、他のＣＣとは異なるシンボル持続時間を利用し得、これは、他のＣＣのシンボル持続時間と比較して低減されたシンボル持続時間の使用を含み得る。より短いシンボル持続時間は、隣接するサブキャリア間の増加した間隔に関連付けられ得る。ｅＣＣを利用する、ＵＥ１１５または基地局１０５などのデバイスは、短縮されたシンボル持続時間（たとえば、１６．６７マイクロ秒）で（たとえば、２０、４０、６０、８０ＭＨｚなどの周波数チャネルまたはキャリア帯域幅に従って）広帯域信号を送信し得る。ｅＣＣ中のＴＴＩは、１つまたは複数のシンボル期間からなり得る。場合によっては、ＴＴＩ持続時間（すなわち、ＴＴＩ中のシンボル期間の数）は可変であり得る。
【００８３】
[0090]  ＮＲシステムなどのワイヤレス通信システムは、特に、認可スペクトル帯域、共有スペクトル帯域、および無認可スペクトル帯域の任意の組合せを利用し得る。ｅＣＣシンボル持続時間およびサブキャリア間隔の柔軟性により、複数のスペクトルにわたるｅＣＣの使用が可能になり得る。いくつかの例では、ＮＲ共有スペクトルは、具体的にはリソースの動的垂直（たとえば、周波数にわたる）共有および水平（たとえば、時間にわたる）共有によって、スペクトル利用度およびスペクトル効率を向上させる。
【００８４】
[0091]  デュアル接続性プロシージャにおいてＰＳＣｅｌｌとの接続を確立しながら、ＵＥ１１５は、ＰＣｅｌｌに関連付けられたマスタ基地局によって決定されたタイミングウィンドウ中に２次基地局のダウンリンクチャネルを監視し得る。マスタ基地局は、ビームペアリンキングプロシージャ（beam pair linking procedure）が、それがＵＥ１１５と２次基地局とによって盲目的に実行された場合よりも時間をかけないことがあるようにタイミングウィンドウを構成し得る。そのようなタイミングウィンドウは、ワイヤレス通信システム１００のリソース効率（resource efficiency）を改善し得る。
【００８５】
[0092]  図２に、本開示の様々な態様による、ビームペアリンクを確立するための技法をサポートするワイヤレス通信システム２００の一例を示す。いくつかの例では、ワイヤレス通信システム２００は、ワイヤレス通信システム１００の態様を実装し得る。
【００８６】
[0093]  ワイヤレス通信システム２００は、ＵＥ２１５のデータスループット（data throughput）を改善するためにＵＥ２１５が複数の基地局２０５、２１０（または複数のセル）からの無線リソースを利用することを可能にするデュアル接続性動作をサポートし得る。たとえば、デュアル接続性（dual connectivity）では、ＵＥ２１５は、マスタ基地局２０５と２次基地局２１０との両方との通信リンクを確立し、それらの通信リンクの両方を使用してデータを通信し得る。デュアル接続性は、２つの基地局２０５、２１０間に理想的なバックホールリンク２２０がないシナリオで使用され得る。基地局２０５、２１０は、図１を参照しながら説明される基地局１０５の例であり得る。ＵＥ２１５は、図１を参照しながら説明されるＵＥ１１５の一例であり得る。バックホールリンク２２０は、図１を参照しながら説明されるバックホールリンク１３４の一例であり得る。
【００８７】
[0094]  場合によっては、ＵＥ２１５とそれぞれの基地局２０５、２１０との間の通信リンクは、ｍｍＷ無線アクセス技術を使用して確立され得る。したがって、ＵＥ２１５とマスタ基地局２０５との間の通信リンクは、指向性送信ビーム２３０と指向性受信ビーム２３５とを含むビームペアリンク２２５の一例であり得る。ダウンリンクコンテキストでは、指向性送信ビーム２３０は、基地局２０５によって生成され得、指向性受信ビーム２３５は、ＵＥ２１５によって生成され得る。アップリンクコンテキストでは、指向性送信ビーム２３０は、ＵＥ２１５によって生成され得、指向性受信ビーム２３５は、基地局２０５によって生成され得る。
【００８８】
[0095]  ビーム２３０および２３５などの指向性ビームは、比較的限定されたエリアに通信リンクを与える。双方向通信リンク（bi-directional communication link）を確立するために、通信リンクは、適切にターゲッティングされた指向性送信ビーム２３０と適切にターゲッティングされた指向性受信ビーム２３５とを含み得る。ワイヤレスネットワーク中でのＵＥ２１５によるモビリティは、指向性ビームの一方または両方にずれを生じる原因となり得る。ビームの一方または両方のずれが十分に大きくなる場合、無線リンク障害（ＲＬＦ：radio link failure）イベントが発生し得る。これらの問題に対処するために、ワイヤレス通信システム２００は、指向性ビームを使用して双方向通信リンクを確立するためにビームペアリンクペアリングプロシージャ（beam pair link pairing procedure）をサポートし、ビームペアリンクを維持し、ＲＬＦイベントを回避するためにビーム改良プロシージャ（beam refinement procedure）をサポートし得る。
【００８９】
[0096]  ｍｍＷ通信リンクの指向性性質を仮定すれば、ブラインドランダムアクセスチャネル（ＲＡＣＨ：random access channel）プロシージャまたはビームペアリンクプロシージャは、全方向ワイヤレス通信システムにおいてブラインドＲＡＣＨプロシージャよりも時間をかけることがある。たとえば、ｍｍＷシステムのためのブラインドＲＡＣＨプロシージャの一部として、基地局（基地局２０５または２１０）が複数の異なる方向に複数の基準信号を送信する間にＵＥ（たとえば、ＵＥ２１５）はビームをリッスンし得、ここで、それらの送信された基準信号のサブセットのみがＵＥによって受信されることになる。
【００９０】
[0097]  ｍｍＷシステムにおけるデュアル接続性動作において使用されるビームペアリンクプロシージャのための技法について本明細書で説明する。場合によっては、ビームペアリンクプロシージャは、ｍｍＷシステムにおけるブラインドビームペアリンクプロシージャ（blind beam pair link procedure）よりも時間がかからないことがある。本明細書で説明されるビームペアリンクプロシージャは、２次基地局２１０とＵＥ２１５との間に新しいビームペアリンク２２５−ａを確立するためにマスタ基地局２０５とＵＥ２１５との間のビームペアリンク２２５を使用するように構成され得る。場合によっては、これらのビームペアリンクプロシージャの態様は、キャリアアグリゲーション動作（carrier aggregation operation）においても使用され得る。
【００９１】
[0098]  図３に、本開示の様々な態様による、ビームペアリンクを確立するための技法をサポートする通信方式３００の一例を示す。いくつかの例では、通信方式３００は、ワイヤレス通信システム１００および２００の態様を実装し得る。
【００９２】
[0099]  通信方式３００は、デュアル接続性コンテキスト（dual connectivity context）またはキャリアアグリゲーションコンテキスト（carrier aggregation context）で発生し得るビームペアリンクプロシージャを示し得る。通信方式３００は、マスタ基地局３０５、２次基地局３１０、およびＵＥ３１５によって実行される機能と、それらの様々な組合せの間で交換される通信とを含む。マスタ基地局３０５は、図１〜図２を参照しながら説明される基地局１０５、２０５の一例であり得る。２次基地局３１０は、図１〜図２を参照しながら説明される基地局１０５、２１０の一例であり得る。ＵＥは、図１〜図２を参照しながら説明されるＵＥ１１５、２１５の一例であり得る。場合によっては、マスタ基地局３０５の機能は、マスタ基地局３０５に対応するマスタセルグループ（ＭＣＧ）のプライマリセル（ＰＣｅｌｌ）によって実行され得る。
【００９３】
[0100]  ブロック３２０において、マスタ基地局３０５は、マスタ基地局３０５にすでに接続されているＵＥ３１５のためにデュアル接続性プロシージャを開始すべきかまたはキャリアアグリゲーションプロシージャを開始すべきかを決定し得る。デュアル接続性により、ＵＥ３１５は、専用のキャリア展開を用いて異種ネットワークにおけるデータスループットをブーストするために異なる基地局（たとえば、マスタ基地局３０５および２次基地局３１０）から同時にデータを受信することが可能になる。キャリアアグリゲーションにより、ＵＥ３１５は、データスループットをブーストし、断片化されたスペクトル割振りを使用するために同じ基地局（たとえば、マスタ基地局３０５）上でいくつかの別個のＬＴＥキャリアを組み合わせることが可能になる。マスタ基地局３０５は、ＵＥ３１５を囲む任意のセルまたは基地局が未使用のネットワーク容量を有するのかどうかを考慮し得る。
【００９４】
[0101]  ブロック３２５において、マスタ基地局３０５は、ＵＥ３１５とのデュアル接続性プロシージャのためのターゲットとして２次基地局３１０を識別し得る。さらに、マスタ基地局３０５は、２次基地局３１０とＵＥ３１５とがｍｍＷシステムにおいて指向性ビームを使用して通信リンクを確立することになるのかどうかを識別し得る。そうである場合、マスタ基地局３０５は、デュアル接続性プロシージャと併せて１つまたは複数のビームペアリンクプロシージャを開始し得る。２次基地局３１０を識別するために、マスタ基地局３０５と（２次基地局３１０を含む）１つまたは複数の潜在的なターゲット２次基地局とは、１つまたは複数のバックホールリンク（たとえば、バックホールリンク１３４、２２０）を使用してメッセージを交換し得る。メッセージは、デュアル接続性またはキャリアアグリゲーションコンテキストにおいて使用されるために利用可能であるネットワークリソースを示し得る。場合によっては、マスタ基地局３０５は、ｍｍＷシステムおよび／または指向性ビームを使用してデュアル接続性リンクを確立するためのセカンダリセルグループ（ＳＣＧ）のプライマリセカンダリセル（ＰＳＣｅｌｌ）を識別し得る。
【００９５】
[0102]  マスタ基地局３０５は、ＵＥ３１５と２次基地局３１０との間でデュアル接続性プロシージャを開始することに基づいて測定メッセージ３３０を生成し、ＵＥ３１５にそれを送信し得る。場合によっては、測定メッセージ３３０は、２次基地局３１０とＵＥ３１５とがｍｍＷシステムを使用してビームペアリンクを確立することが可能であることに基づいて送信され得る。場合によっては、測定メッセージ３３０は、デュアル接続性プロシージャを開始することに関する情報とｍｍＷシステムを使用してビームペアリンクを確立することに関する情報とを含み得る。
【００９６】
[0103]  測定メッセージ３３０は、２次基地局３１０によって送信される信号の測定報告についての要求を含み得る。たとえば、測定メッセージ３３０は、２次基地局３１０によって送信される同期信号（ＳＳ：synchronization signa）ビームまたは２次基地局３１０によって送信されるチャネル状態情報基準信号（ＣＳＩ−ＲＳ）ビームをＵＥ３１５が測定しなければならないことを示し得る。測定メッセージ３３０は、ＵＥ３１５によって測定されるべきである１つまたは複数のビームの１つまたは複数のビームパラメータを示し得る。測定メッセージ３３０によって識別される１つまたは複数のビームは、ＳＳビームのブロックまたはＣＳＩ−ＲＳビームのブロックまたはそれらの組合せであり得る。場合によっては、測定メッセージ３３０は、１つまたは複数のビームを送信する２次基地局３１０の識別する（identify）を示し得る。場合によっては、測定メッセージ３３０は、２次基地局２１０の１つまたは複数のビームをリッスンするためのタイミングを示し得る。そのようなタイミングは、バックホールリンクを使用してマスタ基地局２０５と２次基地局２１０との間で交換される情報に基づき得る。
【００９７】
[0104]  測定メッセージ３３０によって示された１つまたは複数のビームパラメータは、受信されたビームの受信信号強度インジケータ（ＲＳＳＩ）、受信されたビームの基準信号受信電力（ＲＳＲＰ）、受信されたビームの基準信号受信品質（ＲＳＲＱ）、受信されたビームの信号対干渉雑音比（ＳＩＮＲ）、またはそれらの組合せを含み得る。場合によっては、測定メッセージ３３０は、ダウンリンク制御チャネルもしくはメッセージ、無線リソース制御（ＲＣＣ）メッセージ、またはそれらの組合せを使用して通信され得る。
【００９８】
[0105]  場合によっては、測定メッセージ３３０は、１つまたは複数のビームをリッスンするために受信ビームを確立するためにＵＥ３１５によって使用されるべき１つまたは複数の受信ビームパラメータを含み得る。１つまたは複数の受信ビームパラメータは、ビーム幅、ビームターゲット、ビーム方向、受信ビームの時間領域リソース、受信ビームの周波数リソース、またはそれらの組合せを含み得る。
【００９９】
[0106]  ブロック３３５において、ＵＥ３１５は、測定メッセージ３３０を受信することに基づいて指向性受信ビームを構成し得る。ＵＥ３１５は、測定メッセージ３３０を受信することに基づいてビーム幅、ビーム方向、周波数リソース、時間ベースリソース、またはそれらの組合せを構成し得る。場合によっては、受信ビームは、測定メッセージ３３０中に含まれる情報（たとえば、特定のパラメータ、ターゲット２次基地局の識別子など）に基づいて構成され得る。場合によっては、受信ビームは、所定のパラメータに基づいて構成され得る。場合によっては、受信ビームは、測定メッセージ３３０中の情報と所定のパラメータとの組合せに基づいて構成され得る。場合によっては、ＵＥ３１５は、指向性受信ビームではなく全方向リスニング方式を使用して信号を受信し得る。
【０１００】
[0107]  ２次基地局３１０は、基準信号の１つまたは複数の基準信号またはブロックを送信し得る。これらの基準信号は、他のネットワークエンティティとの通信リンクを確立することを容易にする動作を含む通常動作の一部として周期的に送信され得る。
【０１０１】
[0108]  ２次基地局３１０は、ブロック中で１つまたは複数の基準信号を送信し得る。ブロックは、ビーム方向のセットによって定義されたあらゆるビーム方向に少なくとも１つの基準信号ビームを送信することを含み得る。場合によっては、基準信号ビームのブロックは、ビーム送信パターンに従って送信され得る。場合によっては、２次基地局３１０は、デュアル接続性プロシージャ中のビームペアリンクのセットアップを容易にするためにマスタ基地局３０５に基準信号ビームのブロックに関するタイミング情報を通信し得る。場合によっては、基準信号ビームは、ＳＳビーム、ＣＳＩ−ＲＳビーム、またはそれらの組合せの例であり得る。
【０１０２】
[0109]  ブロック３４５において、ＵＥ３１５は、受信された基準信号の１つまたは複数のパラメータを測定し得る。場合によっては、ＵＥ３１５は、測定パラメータに基づいて１つまたは複数の受信された基準ビームのビームインデックスを識別し得る。たとえば、ＵＥ３１５は、受信された基準信号のセットのうちでどの受信された基準信号が最も高い信号品質を有するのかを識別し得る。ＵＥ３１５は、マスタ基地局３０５にその識別された基準信号のビームインデックスを与え得る。場合によっては、ＵＥ３１５は、多重送信ビーム（たとえば、基準信号ビーム）が単一の受信ビームを使用して受信され得ると決定し得る。場合によっては、ＵＥ３１５は、単一の受信ビームを使用して１つまたは複数の基準信号ビームのビームパラメータを測定し得る。このようにして、異なるビーム間の測定がより容易に比較され得る。
【０１０３】
[0110]  ＵＥ３１５は、１つまたは複数の基準信号ビームの１つまたは複数のパラメータを測定することに基づいて測定報告３５０を生成し、それをマスタ基地局３０５に送信し得る。測定報告３５０は、ＵＥ３１５によって測定されたパラメータを含み得る。測定報告３５０は、ＵＥ３１５によって選択された１つまたは複数のビームのビームインデックスを含み得る。場合によっては、測定報告３５０は、２次基地局３１０の送信ビームとペアリングするＵＥビームインデックスを含み得る。場合によっては、測定報告３５０は、ビーム固有の測定報告の一例であり得る。測定報告３５０は、制御メッセージ、ＲＲＣメッセージ、またはそれらの組合せであり得る。
【０１０４】
[0111]  ブロック３５５において、マスタ基地局３０５は、測定報告３５０を受信することに基づいて２次基地局３１０のダウンリンクビームを監視するための時間ウィンドウを決定し得る。マスタ基地局３０５は、ＵＥ３１５がｍｍＷシステムにおいてビームペアを使用して通信リンクを確立するのを支援するために測定パラメータを使用し得る。時間ウィンドウは、ＵＥ３１５が２次基地局３１０によって送信された１つまたは複数のダウンリンクビームをリッスンすべきであることを時間ベースリソースに示し得る。場合によっては、時間ウィンドウは、ＵＥ３１５によって監視されるべきリソース（たとえば、スロット、サブフレーム、フレームなど）のセットを示し得る。場合によっては、時間ウィンドウは、ＵＥ３１５によっていくつかの周波数を監視するための持続時間を示し得る。マスタ基地局３０５は、ＵＥ３１５が２次基地局３１０とのビームペアリンクを確立するデュアル接続性プロシージャの一部として時間ウィンドウを構成し得る。
【０１０５】
[0112]  マスタ基地局３０５は、時間ウィンドウを決定することに基づいて監視メッセージ（monitoring message）３６０を生成し、それをＵＥ３１５に送信し得る。監視メッセージ３６０は、２次基地局３１０によって送信された１つまたは複数のダウンリンクビームを監視するための時間ウィンドウを示し得る。場合によっては、監視メッセージ３６０は、デュアル接続性プロシージャの部分として発生するデュアル接続性プロシージャまたはビームペアリンキングプロシージャに関する他の情報を含み得る。監視メッセージ３６０は、制御メッセージ、ＲＲＣメッセージ、またはそれらの組合せの一例であり得る。場合によっては、監視メッセージ３６０は、他の構成データこのような探索空間を含み得る。
【０１０６】
[0113]  ブロック３６５において、ＵＥ３１５は、監視メッセージ３６０を受信することに基づいて時間ウィンドウ中にダウンリンクビームを監視し得る。監視メッセージ３６０を受信すると、ＵＥ３１５は、監視メッセージ３６０を復号し、マスタ基地局３０５によって構成された時間ウィンドウを決定し得る。ＵＥ３１５は、監視メッセージ３６０を受信することまたは監視メッセージ３６０中に含まれる情報に基づいて受信ビームを構成し得る。
【０１０７】
[0114]  ＵＥ３１５は、２次基地局３１０からダウンリンクビームを監視するために通信リソースを識別し得る。場合によっては、ＵＥ３１５は、同期信号ブロックビーム（たとえば、同期信号ブロックが受信された同じビーム）に対応する受信ビームを使用してダウンリンクビームを監視するために１つまたは複数のスロットを識別し得る。たとえば、ＵＥ３１５は、フレームの最初の５つのスロット中の最初のＳＳブロック（たとえば、ＳＳブロック４）に対応する受信ビームを使用して２次基地局３１０のダウンリンクチャネル（たとえば、物理ダウンリンク制御チャネル（ＰＤＣＣＨ：physical downlink control channel））を監視し、フレームのスロット６から１０中の第２のＳＳブロック（たとえば、ＳＳブロック８）に対応する受信ビームを使用してダウンリンクチャネルを監視し得る。
【０１０８】
[0115]  場合によっては、ＵＥ３１５は、監視メッセージ３６０（たとえば、事前構成されたビーム）、監視メッセージ（３６０）中の情報（たとえば、動的ビーム）、またはそれらの組合せを受信することに基づいて受信ビームを構成し得る。受信ビームは、監視メッセージ３６０中に指定されている時間ウィンドウ中に１つまたは複数のダウンリンクビーム３７０をリッスンするように構成され得る。
【０１０９】
[0116]  ２次基地局３１０は、１つまたは複数のダウンリンクビーム３７０を送信し得る。場合によっては、ダウンリンクビーム３７０は、ブロック中で送信され得る。ブロックは、ビーム方向のセットによって定義されたあらゆるビーム方向に少なくとも１つのダウンリンクビーム３７０を送信することを含み得る。場合によっては、ダウンリンクビームのブロックは、ビーム送信パターンに従って送信され得る。場合によっては、ダウンリンクビーム３７０は、ＰＤＣＣＨ上で送信される送信ビームであり得る。さらに、第２の基地局からのＵＬ送信は、ＤＬビームまたは複数のＤＬビームに基づき得る。場合によっては、ＤＬビームは、ＰＤＳＣＨをスケジュールするＰＤＣＣＨであり得、ＵＥにおけるビームの対応を仮定すると、ＰＵＣＣＨ  ＡＣＫのためのＵＬビームは、ＤＬビームに基づき得る。
【０１１０】
[0117]  ブロック３７５において、ＵＥ３１５は、ＵＥ３１５によって受信された１つまたは複数のダウンリンクビーム３７０の１つまたは複数のパラメータを測定し得る。場合によっては、ＵＥ３１５は、受信されたダウンリンクビームのどのダウンリンクビームが最良のチャネルパラメータを有するのかを識別し得る。受信されたダウンリンクビームのセットから１つまたは複数のダウンリンクビーム３７０を識別すると、ＵＥ３１５は、識別されたビームの１つまたは複数の特性を識別し得る。
【０１１１】
[0118]  場合によっては、ＵＥ３１５は、ダウンリンクビーム３７０のパラメータを測定することに基づいて２次基地局３１０にアップリンクメッセージ３８０−ｂを送信し得る。アップリンクメッセージ３８０−ｂは、ＵＥ３１５によって識別された１つまたは複数のダウンリンクビーム３７０に基づいて決定されたビームパラメータを含む送信ビームを使用して送信され得る。たとえば、ＵＥ３１５は、２次基地局３１０（またはデュアル接続性コンテキストではＰＳＣｅｌｌ）とのビームペアリンクを確立すべきダウンリンクビームから１つのビームを識別し得る。そのような例では、ＵＥ３１５は、前に受信されたダウンリンクビーム３７０に基づいてアップリンクメッセージのために送信ビームを使用生成し得る。場合によっては、アップリンクメッセージ３８０−ｂは、ＲＡＣＨメッセージの一例であり得る。場合によっては、アップリンクメッセージ３８０−ｂは、ＰＤＣＣＨ命令に対する応答確認の一例であり得る。場合によっては、アップリンクメッセージ３８０−ｂは、スケジューリング要求の一例であり得る。場合によっては、アップリンクメッセージ３８０−ｂは、サウンディング基準信号（sounding reference signal）の一例であり得る。アップリンクメッセージ３８０−ｂは、ＲＲＣメッセージ、ＭＡＣ制御要素（ＣＥ：control element）、ダウンリンク制御情報（ＤＣＩ：downlink control information）メッセージ、またはそれらの組合せとして通信され得る。場合によっては、ＵＥ３１５は、ＵＥ３１５と２次基地局３１０との間のビームペアリング（beam pairing）の確認としてアップリンクメッセージ３８０−ｂを送信し得る。
【０１１２】
[0119]  場合によっては、ＵＥ３１５は、マスタ基地局３０５にアップリンクメッセージ３８０−ａを送信し得る。場合によっては、ＵＥ３１５は、マスタ基地局３０５と２次基地局３１０との両方にアップリンクメッセージ３８０を送信し得る。
【０１１３】
[0120]  ブロック３８５において、２次基地局３１０は、ＵＥ３１５から受信したアップリンクメッセージ３８０−ｂに基づいてタイミングアラインメントを決定し得る。２次基地局３１０は、ビームペアリンクごとにアップリンクメッセージ３８０−ｂのアップリンク信号からタイミングアラインメントを推測し得る。このタイミングアラインメントを使用して、２次基地局３１０は、ビームペアリンクのセットアップを実行し得る。
【０１１４】
[0121]  上記で説明されるプロセスを実行した後に、マスタ基地局３０５、２次基地局３１０、ＵＥ３１５、またはそれらの組合せは、２次基地局３１０のＰＳＣｅｌｌとＵＥ３１５との間にビームペアリンクを確立し得る。ビームペアリンクを確立することは、ダウンリンクビーム３７０の測度パラメータ（measure parameter）、アップリンクメッセージ３８０、タイミングアラインメント、またはそれらの組合せに基づき得る。
【０１１５】
[0122]  場合によっては、ビームペアリングプロシージャは、キャリアアグリゲーションコンテキストで使用され得る。たとえば、基地局（たとえば、マスタ基地局３０５）は、ＵＥ３１５から受信したアップリンクメッセージ３８０に基づいてキャリアアグリゲーションコンテキストでタイミングアラインメントを推測し得る。
【０１１６】
[0123]  図４に、本開示の態様による、ビームペアリンクを確立するための技法をサポートするワイヤレスデバイス４０５のブロック図４００を示す。ワイヤレスデバイス４０５は、本明細書で説明したＵＥ１１５、２１５、３１５の態様の一例であり得る。ワイヤレスデバイス４０５は、受信機４１０と、ＵＥ通信マネージャ４１５と、送信機４２０とを含み得る。ワイヤレスデバイス４０５はプロセッサをも含み得る。これらの構成要素の各々は（たとえば、１つまたは複数のバスを介して）互いに通信していることがある。
【０１１７】
[0124]  受信機４１０は、パケット、ユーザデータ、または様々な情報チャネルに関連付けられた制御情報（たとえば、制御チャネル、データチャネル、およびビームペアリンクを確立するための技法に関係する情報など）などの情報を受信し得る。情報はデバイスの他の構成要素に受け渡され得る。受信機４１０は、図７を参照しながら説明されるトランシーバ７３５の態様の一例であり得る。受信機４１０は、単一のアンテナまたはアンテナのセットを利用し得る。
【０１１８】
[0125]  ＵＥ通信マネージャ４１５は、図７を参照しながら説明されるＵＥ通信マネージャ７１５の態様の一例であり得る。ＵＥ通信マネージャ４１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、ＵＥ通信マネージャ４１５および／またはそれの様々な副構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本開示で説明される機能を実行するように設計されたそれらの任意の組合せによって実行され得る。ＵＥ通信マネージャ４１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、ＵＥ通信マネージャ４１５および／またはそれの様々な副構成要素のうちの少なくともいくつかは、本開示の様々な態様による、分離したおよび別個の構成要素であり得る。他の例では、ＵＥ通信マネージャ４１５および／またはそれの様々な副構成要素のうちの少なくともいくつかは、本開示の様々な態様による、限定はしないが、Ｉ／Ｏ構成要素、トランシーバ、ネットワークサーバ、別のコンピューティングデバイス、本開示で説明される１つまたは複数の他の構成要素、またはそれらの組合せを含む、１つまたは複数の他のハードウェア構成要素と組み合わされ得る。
【０１１９】
[0126]  ＵＥ通信マネージャ４１５は、測定すべき１つまたは複数のビームのビームパラメータを示す第１のメッセージを第１の基地局から受信し、第１のメッセージを受信することに基づいてビームパラメータを含む測定報告を送信し、測定報告を送信することに基づいてダウンリンクビームを監視するための時間ウィンドウを示す第２のメッセージを第１の基地局から受信し、第２のメッセージを受信することに基づいて時間ウィンドウ中にダウンリンクビームを監視し得る。第１のメッセージは、測定メッセージであり得、第１のメッセージおよび測定メッセージという用語は互換的に使用され得る。さらに、第２のメッセージは、時間ウィンドウメッセージであり得、時間ウィンドウメッセージおよび第２のメッセージという用語は、互換的に使用され得る。
【０１２０】
[0127]  送信機４２０は、デバイスの他の構成要素によって生成された信号を送信し得る。いくつかの例では、送信機４２０は、トランシーバモジュールにおいて受信機４１０とコロケートされ得る。たとえば、送信機４２０は、図７を参照しながら説明されるトランシーバ７３５の態様の一例であり得る。送信機４２０は、単一のアンテナまたはアンテナのセットを利用し得る。
【０１２１】
[0128]  図５に、本開示の態様による、ビームペアリンクを確立するための技法をサポートするワイヤレスデバイス５０５のブロック図５００を示す。ワイヤレスデバイス５０５は、図１〜図４を参照しながら説明したワイヤレスデバイス４０５またはＵＥ１１５、２１５、３１５の態様の一例であり得る。ワイヤレスデバイス５０５は、受信機５１０と、ＵＥ通信マネージャ５１５と、送信機５２０とを含み得る。ワイヤレスデバイス５０５はプロセッサをも含み得る。これらの構成要素の各々は（たとえば、１つまたは複数のバスを介して）互いに通信していることがある。
【０１２２】
[0129]  受信機５１０は、パケット、ユーザデータ、または様々な情報チャネルに関連付けられた制御情報（たとえば、制御チャネル、データチャネル、およびビームペアリンクを確立するための技法に関係する情報など）などの情報を受信し得る。情報はデバイスの他の構成要素に受け渡され得る。受信機５１０は、図７を参照しながら説明されるトランシーバ７３５の態様の一例であり得る。受信機５１０は、単一のアンテナまたはアンテナのセットを利用し得る。
【０１２３】
[0130]  ＵＥ通信マネージャ５１５は、図７を参照しながら説明されるＵＥ通信マネージャ７１５の態様の一例であり得る。ＵＥ通信マネージャ５１５はまた、報告マネージャ（report manager）５２５と監視マネージャ（monitoring manager）５３０とを含み得る。
【０１２４】
[0131]  報告マネージャ５２５は、測定すべき１つまたは複数のビームのビームパラメータを示す第１のメッセージを第１の基地局から受信し、第１のメッセージを受信することに基づいてビームパラメータを含む測定報告を送信し得る。場合によっては、第１のメッセージは、デュアル接続性通信リンクを確立すべき第２の基地局を示し、１つまたは複数のビームは、第１の基地局とは異なる第２の基地局に関連付けられる。場合によっては、１つまたは複数のビームは、第２の基地局に関連付けられた同期信号ビームまたは第２の基地局に関連付けられたＣＳＩ−ＲＳビームである。場合によっては、測定報告は、ビームインデックス、ＲＳＲＰ測定値、ＲＳＲＱ測定値、ＲＳＳＩ測定値、ＳＩＮＲ測定値、またはそれらの組合せを含む。第１のメッセージは、測定メッセージであり得、第１のメッセージおよび測定メッセージという用語は互換的に使用され得る。
【０１２５】
[0132]  監視マネージャ５３０は、測定報告を送信することに基づいてダウンリンクビームを監視するための時間ウィンドウを示す第２のメッセージを第１の基地局から受信し、第２のメッセージを受信することに基づいて時間ウィンドウ中にダウンリンクビームを監視し得る。場合によっては、ダウンリンクビームは、ＰＤＣＣＨビームである。第２のメッセージは、時間ウィンドウメッセージであり得、時間ウィンドウメッセージおよび第２のメッセージという用語は、互換的に使用され得る。
【０１２６】
[0133]  送信機５２０は、デバイスの他の構成要素によって生成された信号を送信し得る。いくつかの例では、送信機５２０は、トランシーバモジュールにおいて受信機５１０とコロケートされ得る。たとえば、送信機５２０は、図７を参照しながら説明されるトランシーバ７３５の態様の一例であり得る。送信機５２０は、単一のアンテナまたはアンテナのセットを利用し得る。
【０１２７】
[0134]  図６に、本開示の態様による、ビームペアリンクを確立するための技法をサポートするＵＥ通信マネージャ６１５のブロック図６００を示す。ＵＥ通信マネージャ６１５は、図４、図５、および図７を参照しながら説明されるＵＥ通信マネージャ４１５、ＵＥ通信マネージャ５１５、またはＵＥ通信マネージャ７１５の態様の一例であり得る。ＵＥ通信マネージャ６１５は、報告マネージャ（report manager）６２０と、監視マネージャ（monitoring manager）６２５と、スロットマネージャ（slot manager）６３０と、測定マネージャ（measuring manager）６３５と、インデックスマネージャ（index manager）６４０と、応答マネージャ（response manager）６４５と、リンクマネージャ（link manager）６５０とを含み得る。これらのモジュールの各々は、直接または間接的に、（たとえば、１つまたは複数のバスを介して）互いに通信し得る。
【０１２８】
[0135]  報告マネージャ６２０は、測定すべき１つまたは複数のビームのビームパラメータを示す第１のメッセージを第１の基地局から受信し、第１のメッセージを受信することに基づいてビームパラメータを含む測定報告を送信し得る。場合によっては、第１のメッセージは、デュアル接続性通信リンクを確立すべき第２の基地局を示し、１つまたは複数のビームは、第１の基地局とは異なる第２の基地局に関連付けられる。場合によっては、１つまたは複数のビームは、第２の基地局に関連付けられた同期信号ビームまたは第２の基地局に関連付けられたＣＳＩ−ＲＳビームである。場合によっては、測定報告は、ビームインデックス、ＲＳＲＰ測定値、ＲＳＲＱ測定値、ＲＳＳＩ測定値、ＳＩＮＲ測定値、またはそれらの組合せを含む。
【０１２９】
[0136]  監視マネージャ６２５は、測定報告を送信することに基づいてダウンリンクビームを監視するための時間ウィンドウを示す第２のメッセージを第１の基地局から受信し、第２のメッセージを受信することに基づいて時間ウィンドウ中にダウンリンクビームを監視し得る。場合によっては、ダウンリンクビームは、ＰＤＣＣＨビームである。
【０１３０】
[0137]  スロットマネージャ６３０は、第２のメッセージを受信することに基づいて同期信号ブロックビーム（たとえば、同期信号ブロックが受信された同じビーム）に対応する受信ビームを使用してダウンリンクビームを監視するために１つまたは複数のスロットを識別し得、ここで、ダウンリンクビームを監視することは、１つまたは複数のスロットを識別することに基づく。
【０１３１】
[0138]  測定マネージャ６３５は、第１のメッセージを受信することに基づいて少なくとも１つのビームのビームパラメータを測定し、ここで、測定報告を送信することは、ビームパラメータを測定することに基づき、第１のメッセージを受信することに基づいて単一の受信ビームを使用して１つまたは複数のビームの各々のビームパラメータを測定し得る。
【０１３２】
[0139]  インデックスマネージャ６４０は、１つまたは複数のビームの各々のビームパラメータを測定することに基づいて１つまたは複数のビームのうちの少なくとも１つのビームのビームインデックスを識別し得、ここで、測定報告を送信することは、ビームインデックスを識別することに基づく。
【０１３３】
[0140]  応答マネージャ６４５は、ダウンリンクビームを監視することに基づいて送信ビームを使用して第３のメッセージを送信し得る。場合によっては、第３のメッセージは、ＲＡＣＨメッセージ、ＳＲＳ、またはスケジューリング要求である。リンクマネージャ６５０は、ダウンリンクビームを監視することに基づいてビームペアリンクを確立し得る。
【０１３４】
[0141]  図７に、本開示の態様による、ビームペアリンクを確立するための技法をサポートするデバイス７０５を含むシステム７００の図を示す。デバイス７０５は、たとえば、図１〜図５を参照しながら上記で説明したワイヤレスデバイス４０５、ワイヤレスデバイス５０５、またはＵＥ１１５、２１５、３１５の構成要素の一例であり得るか、またはそれらを含み得る。デバイス７０５は、ＵＥ通信マネージャ７１５と、プロセッサ７２０と、メモリ７２５と、ソフトウェア７３０と、トランシーバ７３５と、アンテナ７４０と、Ｉ／Ｏコントローラ７４５とを含む、通信を送信および受信するための構成要素を含む双方向音声およびデータ通信のための構成要素を含み得る。これらの構成要素は、１つまたは複数のバス（たとえば、バス７１０）を介して電子通信していることがある。デバイス７０５は、１つまたは複数の基地局１０５とワイヤレス通信し得る。
【０１３５】
[0142]  プロセッサ７２０は、インテリジェントハードウェアデバイス、（たとえば、汎用プロセッサ、ＤＳＰ、中央処理ユニット（ＣＰＵ）、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。場合によっては、プロセッサ７２０は、メモリコントローラを使用してメモリアレイを動作させるように構成され得る。他の場合には、メモリコントローラはプロセッサ７２０に組み込まれ得る。プロセッサ７２０は、様々な機能（たとえば、ビームペアリンクを確立するための技法をサポートする機能またはタスク）を実行するためにメモリに記憶されたコンピュータ可読命令を実行するように構成され得る。
【０１３６】
[0143]  メモリ７２５は、ランダムアクセスメモリ（ＲＡＭ）および読取り専用メモリ（ＲＯＭ）を含み得る。メモリ７２５は、実行されたとき、プロセッサに本明細書で説明される様々な機能を実行させる命令を含むコンピュータ可読、コンピュータ実行可能ソフトウェア７３０を記憶し得る。場合によっては、メモリ７２５は、特に、周辺構成要素またはデバイスとの対話などの基本的なハードウェアまたはソフトウェア動作を制御し得る基本入出力システム（ＢＩＯＳ）を含み得る。
【０１３７】
[0144]  ソフトウェア７３０は、ビームペアリンクを確立するための技法をサポートするためのコードを含む、本開示の態様を実装するためのコードを含み得る。ソフトウェア７３０は、システムメモリまたは他のメモリなど、非一時的コンピュータ可読媒体に記憶され得る。いくつかの場合には、ソフトウェア７３０は、プロセッサによって直接的に実行可能でないことがあるが、（たとえば、コンパイルされ実行されたとき）コンピュータに本明細書で説明される機能を実行させ得る。
【０１３８】
[0145]  トランシーバ７３５は、上記で説明したように、１つまたは複数のアンテナ、ワイヤードリンク、またはワイヤレスリンクを介して双方向に通信し得る。たとえば、トランシーバ７３５はワイヤレストランシーバを表し得、別のワイヤレストランシーバと双方向に通信し得る。トランシーバ７３５はまた、パケットを変調し、変調されたパケットを送信のためにアンテナに与えるための、およびアンテナから受信されたパケットを復調するためのモデムを含み得る。
【０１３９】
[0146]  場合によっては、ワイヤレスデバイスは単一のアンテナ７４０を含み得る。ただし、場合によっては、デバイスは、複数のワイヤレス送信を同時に送信または受信することが可能であり得る２つ以上のアンテナ７４０を有し得る。
【０１４０】
[0147]  Ｉ／Ｏコントローラ７４５は、デバイス７０５のための入力および出力信号を管理し得る。Ｉ／Ｏコントローラ７４５は、デバイス７０５に組み込まれていない周辺機器をも管理し得る。いくつかの場合には、Ｉ／Ｏコントローラ７４５は外部周辺機器への物理接続またはポートを表し得る。いくつかの場合には、Ｉ／Ｏコントローラ７４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなど、オペレーティングシステムを利用し得る。他の場合、Ｉ／Ｏコントローラ７４５は、モデム、キーボード、マウス、タッチスクリーン、または同様のデバイスを表すか、またはそれらと対話し得る。いくつかの場合には、Ｉ／Ｏコントローラ７４５はプロセッサの一部として実装され得る。いくつかの場合には、ユーザは、Ｉ／Ｏコントローラ７４５を介して、またはＩ／Ｏコントローラ７４５によって制御されるハードウェア構成要素を介してデバイス７０５と対話し得る。
【０１４１】
[0148]  図８に、本開示の態様による、ビームペアリンクを確立するための技法をサポートするワイヤレスデバイス８０５のブロック図８００を示す。ワイヤレスデバイス８０５は、本明細書で説明した基地局１０５、２０５、２１０、３０５、３１０の態様の一例であり得る。ワイヤレスデバイス８０５は、受信機８１０と、基地局通信マネージャ８１５と、送信機８２０とを含み得る。ワイヤレスデバイス８０５は、プロセッサをも含み得る。これらの構成要素の各々は（たとえば、１つまたは複数のバスを介して）互いに通信していることがある。
【０１４２】
[0149]  受信機８１０は、パケット、ユーザデータ、または様々な情報チャネルに関連付けられた制御情報（たとえば、制御チャネル、データチャネル、およびビームペアリンクを確立するための技法に関係する情報など）などの情報を受信し得る。情報はデバイスの他の構成要素に受け渡され得る。受信機８１０は、図１１を参照しながら説明されるトランシーバ１１３５の態様の一例であり得る。受信機８１０は、単一のアンテナまたはアンテナのセットを利用し得る。
【０１４３】
[0150]  基地局通信マネージャ８１５は、図１１を参照しながら説明される基地局通信マネージャ１１１５の態様の一例であり得る。基地局通信マネージャ８１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ８１５および／またはそれの様々な副構成要素のうちの少なくともいくつかの機能は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本開示で説明される機能を実行するように設計されたそれらの任意の組合せによって実行され得る。基地局通信マネージャ８１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、基地局通信マネージャ８１５および／またはそれの様々な副構成要素のうちの少なくともいくつかは、本開示の様々な態様による、分離したおよび別個の構成要素であり得る。他の例では、基地局通信マネージャ８１５および／またはそれの様々な副構成要素のうちの少なくともいくつかは、本開示の様々な態様による、限定はしないが、Ｉ／Ｏ構成要素、トランシーバ、ネットワークサーバ、別のコンピューティングデバイス、本開示で説明される１つまたは複数の他の構成要素、またはそれらの組合せを含む、１つまたは複数の他のハードウェア構成要素と組み合わされ得る。
【０１４４】
[0151]  基地局通信マネージャ８１５は、測定すべき１つまたは複数のビームのビームパラメータを示す第１のメッセージをＵＥに送信し、第１のメッセージを送信することに基づいてビームパラメータを含む測定報告を受信し、測定報告中に含まれる情報に基づいてダウンリンクビームを監視するための時間ウィンドウを決定し、ダウンリンクビームを監視するための時間ウィンドウを示す第２のメッセージをＵＥに送信し得る。基地局通信マネージャ８１５はまた、方向のセットにダウンリンクビームのセットを送信し、送信されたダウンリンクビームのうちの少なくとも１つに基づいてＵＥからメッセージを受信し、メッセージを受信することに基づいてＵＥとのタイミングアラインメントを決定し、タイミングアラインメントを決定することに基づいてビームペアリンクを確立し得る。第１のメッセージは、測定メッセージであり得、第１のメッセージおよび測定メッセージという用語は互換的に使用され得る。さらに、第２のメッセージは、時間ウィンドウメッセージであり得、時間ウィンドウメッセージおよび第２のメッセージという用語は、互換的に使用され得る。
【０１４５】
[0152]  送信機８２０は、デバイスの他の構成要素によって生成された信号を送信し得る。いくつかの例では、送信機８２０は、トランシーバモジュールにおいて受信機８１０とコロケートされ得る。たとえば、送信機８２０は、図１１を参照しながら説明されるトランシーバ１１３５の態様の一例であり得る。送信機８２０は、単一のアンテナまたはアンテナのセットを利用し得る。
【０１４６】
[0153]  図９に、本開示の態様による、ビームペアリンクを確立するための技法をサポートするワイヤレスデバイス９０５のブロック図９００を示す。ワイヤレスデバイス９０５は、図１〜図３および図８を参照しながら説明したワイヤレスデバイス８０５または基地局１０５、２０５、２１０、３０５、３１０の態様の一例であり得る。ワイヤレスデバイス９０５は、受信機９１０と、基地局通信マネージャ９１５と、送信機９２０とを含み得る。ワイヤレスデバイス９０５は、プロセッサをも含み得る。これらの構成要素の各々は（たとえば、１つまたは複数のバスを介して）互いに通信していることがある。
【０１４７】
[0154]  受信機９１０は、パケット、ユーザデータ、または様々な情報チャネルに関連付けられた制御情報（たとえば、制御チャネル、データチャネル、およびビームペアリンクを確立するための技法に関係する情報など）などの情報を受信し得る。情報はデバイスの他の構成要素に受け渡され得る。受信機９１０は、図１１を参照しながら説明されるトランシーバ１１３５の態様の一例であり得る。受信機９１０は、単一のアンテナまたはアンテナのセットを利用し得る。
【０１４８】
[0155]  基地局通信マネージャ９１５は、図１１を参照しながら説明される基地局通信マネージャ１１１５の態様の一例であり得る。基地局通信マネージャ９１５はまた、報告マネージャ９２５と、監視マネージャ９３０と、アクセスマネージャ９３５と、タイミングアラインメントマネージャ（timing alignment manager）９４０と、リンクマネージャ９４５とを含み得る。
【０１４９】
[0156]  報告マネージャ９２５は、測定すべき１つまたは複数のビームのビームパラメータを示す第１のメッセージをＵＥに送信し、第１のメッセージを送信することに基づいてビームパラメータを含む測定報告を受信し得る。
【０１５０】
[0157]  監視マネージャ９３０は、測定報告中に含まれる情報に基づいてダウンリンクビームを監視するための時間ウィンドウを決定し、ダウンリンクビームを監視するための時間ウィンドウを示す第２のメッセージをＵＥに送信し得る。
【０１５１】
[0158]  アクセスマネージャ９３５は、方向のセットにダウンリンクビームのセットを送信し、送信されたダウンリンクビームのうちの少なくとも１つに基づいてＵＥからメッセージを受信し、同期信号ビームのセットを送信し得、ここで、メッセージを受信することは、同期信号ビームのセットを送信することに基づく。場合によっては、メッセージは、ＲＡＣＨメッセージである。場合によっては、メッセージは、スケジューリング要求（ＳＲ）である。タイミングアラインメントマネージャ９４０は、メッセージを受信することに基づいてＵＥとのタイミングアラインメントを決定し得る。
【０１５２】
[0159]  リンクマネージャ９４５は、第３のメッセージを受信することに基づいてビームペアリンクを確立し、ＵＥがデュアル接続性通信リンクを確立すべきである２次基地局を識別し、ここで、第１のメッセージを送信することは、２次基地局を識別することに基づき、タイミングアラインメントを決定することに基づいてビームペアリンクを確立し得る。場合によっては、第１のメッセージは、デュアル接続性通信リンクを確立すべき第２の基地局を示し、１つまたは複数のビームは、第１の基地局とは異なる第２の基地局に関連付けられる。場合によっては、ビームペアリンクは、デュアル接続性プロシージャの一部として確立される。
【０１５３】
[0160]  送信機９２０は、デバイスの他の構成要素によって生成された信号を送信し得る。いくつかの例では、送信機９２０は、トランシーバモジュールにおいて受信機９１０とコロケートされ得る。たとえば、送信機９２０は、図１１を参照しながら説明されるトランシーバ１１３５の態様の一例であり得る。送信機９２０は、単一のアンテナまたはアンテナのセットを利用し得る。
【０１５４】
[0161]  図１０に、本開示の態様による、ビームペアリンクを確立するための技法をサポートする基地局通信マネージャ１０１５のブロック図１０００を示す。基地局通信マネージャ１０１５は、図８、図９、および図１１を参照しながら説明される基地局通信マネージャ１１１５の態様の一例であり得る。基地局通信マネージャ１０１５は、報告マネージャ１０２０と、監視マネージャ１０２５と、アクセスマネージャ１０３０と、タイミングアラインメントマネージャ１０３５と、リンクマネージャ１０４０と、スロットマネージャ１０４５と、応答マネージャ１０５０とを含み得る。これらのモジュールの各々は、直接または間接的に、（たとえば、１つまたは複数のバスを介して）互いに通信し得る。
【０１５５】
[0162]  報告マネージャ１０２０は、測定すべき１つまたは複数のビームのビームパラメータを示す第１のメッセージをＵＥに送信し、第１のメッセージを送信することに基づいてビームパラメータを含む測定報告を受信し得る。
【０１５６】
[0163]  監視マネージャ１０２５は、測定報告中に含まれる情報に基づいてダウンリンクビームを監視するための時間ウィンドウを決定し、ダウンリンクビームを監視するための時間ウィンドウを示す第２のメッセージをＵＥに送信し得る。
【０１５７】
[0164]  アクセスマネージャ１０３０は、方向のセットにダウンリンクビームのセットを送信し、送信されたダウンリンクビームのうちの少なくとも１つに基づいてＵＥからアップリンクメッセージを受信し、同期信号ビームのセットを送信し得、ここで、メッセージを受信することは、同期信号ビームのセットを送信することに基づく。場合によっては、メッセージは、ＲＡＣＨメッセージである。場合によっては、メッセージは、スケジューリング要求（ＳＲ）である。タイミングアラインメントマネージャ１０３５は、メッセージを受信することに基づいてＵＥとのタイミングアラインメントを決定し得る。
【０１５８】
[0165]  リンクマネージャ１０４０は、第３のメッセージを受信することに基づいてビームペアリンクを確立し、ＵＥがデュアル接続性通信リンクを確立すべきである２次基地局を識別し、ここで、第１のメッセージを送信することは、２次基地局を識別することに基づき、タイミングアラインメントを決定することに基づいてビームペアリンクを確立し得る。場合によっては、第１のメッセージは、デュアル接続性通信リンクを確立すべき第２の基地局を示し、１つまたは複数のビームは、第１の基地局とは異なる第２の基地局に関連付けられる。場合によっては、ビームペアリンクは、デュアル接続性プロシージャの一部として確立される。第１のメッセージは、測定メッセージであり得、第１のメッセージおよび測定メッセージという用語は互換的に使用され得る。
【０１５９】
[0166]  スロットマネージャ１０４５は、ＵＥが測定レポートを受信することに基づいて同期信号ブロックビーム（たとえば、同期信号ブロックが受信された同じビーム）に対応する受信ビームを使用してダウンリンクビームを監視するために１つまたは複数のスロットを識別し得、ここで、第２のメッセージは、１つまたは複数のスロットを示す情報を含む。応答マネージャ１０５０は、第２のメッセージを送信することに基づいてＵＥから第３のメッセージを受信し得る。
【０１６０】
[0167]  図１１に、本開示の態様による、ビームペアリンクを確立するための技法をサポートするデバイス１１０５を含むシステム１１００の図を示す。デバイス１１０５は、たとえば、図１〜図３を参照しながら上記で説明した基地局１０５、２０５、２１０、３０５、３１０の構成要素の一例であるか、またはそれを含み得る。デバイス１１０５は、基地局通信マネージャ１１１５と、プロセッサ１１２０と、メモリ１１２５と、ソフトウェア１１３０と、トランシーバ１１３５と、アンテナ１１４０と、ネットワーク通信マネージャ１１４５と、局間通信マネージャ（inter-station communications manager）１１５０とを含む、通信を送信および受信するための構成要素を含む双方向音声およびデータ通信のための構成要素を含み得る。これらの構成要素は、１つまたは複数のバス（たとえば、バス１１１０）を介して電子通信していることがある。デバイス１１０５は、１つまたは複数のＵＥ１１５とワイヤレス通信し得る。
【０１６１】
[0168]  プロセッサ１１２０は、インテリジェントハードウェアデバイス（たとえば、汎用プロセッサ、ＤＳＰ、ＣＰＵ、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。いくつかの場合には、プロセッサ１１２０は、メモリコントローラを使用してメモリアレイを動作させるように構成され得る。他の場合には、メモリコントローラはプロセッサ１１２０に組み込まれ得る。プロセッサ１１２０は、様々な機能（たとえば、ビームペアリンクを確立するための技法をサポートする機能またはタスク）を実行するためにメモリに記憶されたコンピュータ可読命令を実行するように構成され得る。
【０１６２】
[0169]  メモリ１１２５はＲＡＭとＲＯＭとを含み得る。メモリ１１２５は、実行されたときに、本明細書で説明される様々な機能をプロセッサに実施させる命令を含むコンピュータ可読、コンピュータ実行可能ソフトウェア１１３０を記憶し得る。場合によっては、メモリ１１２５は、特に、周辺構成要素またはデバイスとの対話などの基本的なハードウェアまたはソフトウェア動作を制御し得るＢＩＯＳを含み得る。
【０１６３】
[0170]  ソフトウェア１１３０は、ビームペアリンクを確立するための技法をサポートするためのコードを含む、本開示の態様を実装するためのコードを含み得る。ソフトウェア１１３０は、システムメモリまたは他のメモリなど、非一時的コンピュータ可読媒体に記憶され得る。いくつかの場合には、ソフトウェア１１３０は、プロセッサによって直接的に実行可能でないことがあるが、（たとえば、コンパイルされ実行されたとき）コンピュータに本明細書で説明される機能を実行させ得る。
【０１６４】
[0171]  トランシーバ１１３５は、上記で説明したように、１つまたは複数のアンテナ、ワイヤードリンク、またはワイヤレスリンクを介して双方向に通信し得る。たとえば、トランシーバ１１３５はワイヤレストランシーバを表し得、別のワイヤレストランシーバと双方向に通信し得る。トランシーバ１１３５はまた、パケットを変調し、変調されたパケットを送信のためにアンテナに与えるための、およびアンテナから受信されたパケットを復調するためのモデムを含み得る。
【０１６５】
[0172]  場合によっては、ワイヤレスデバイスは単一のアンテナ１１４０を含み得る。ただし、場合によっては、デバイスは、複数のワイヤレス送信を同時に送信または受信することが可能であり得る２つ以上のアンテナ１１４０を有し得る。
【０１６６】
[0173]  ネットワーク通信マネージャ１１４５は、（たとえば、１つまたは複数のワイヤードバックホールリンクを介して）コアネットワークとの通信を管理し得る。たとえば、ネットワーク通信マネージャ１１４５は、１つまたは複数のＵＥ１１５など、クライアントデバイスのためのデータ通信の転送を管理し得る。
【０１６７】
[0174]  局間通信マネージャ１１５０は、他の基地局１０５との通信を管理し得、他の基地局１０５と協働してＵＥ１１５との通信を制御するためのコントローラまたはスケジューラを含み得る。たとえば、局間通信マネージャ１１５０は、ビームフォーミング（beamforming）またはジョイント送信（joint transmission）などの様々な干渉緩和技法のためのＵＥ１１５への送信のためのスケジューリングを協調させ得る。いくつかの例では、局間通信マネージャ１１５０は、基地局１０５間の通信を行うために、ロングタームエボリューション（ＬＴＥ）／ＬＴＥ−Ａワイヤレス通信ネットワーク技術内のＸ２インターフェースを与え得る。
【０１６８】
[0175]  図１２に、本開示の態様による、ビームペアリンクを確立するための技法のための方法１２００を示すフローチャートを示す。方法１２００の動作は、本明細書で説明したＵＥ１１５、２１５、３１５またはそれの構成要素によって実装され得る。たとえば、方法１２００の動作は、図４〜図７を参照しながら説明したＵＥ通信マネージャによって実行され得る。いくつかの例では、ＵＥ１１５、２１５、３１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０１６９】
[0176]  ブロック１２０５において、ＵＥ３１５は、測定すべき１つまたは複数のビームのビームパラメータを示す第１のメッセージを第１の基地局から受信し得る。ブロック１２０５の動作は、本明細書で説明される方法に従って実行され得る。いくつかの例では、ブロック１２０５の動作の態様は、図４〜図７を参照しながら説明した報告マネージャによって実行され得る。第１のメッセージは、測定メッセージであり得、第１のメッセージおよび測定メッセージという用語は互換的に使用され得る。
【０１７０】
[0177]  ブロック１２１０において、ＵＥ３１５は、第１のメッセージを受信することに少なくとも部分的に基づいてビームパラメータを含む測定報告を送信し得る。ブロック１２１０の動作は、本明細書で説明される方法に従って実行され得る。いくつかの例では、ブロック１２１０の動作の態様は、図４〜図７を参照しながら説明した報告マネージャによって実行され得る。
【０１７１】
[0178]  図１３に、本開示の態様による、ビームペアリンクを確立するための技法のための方法１３００を示すフローチャートを示す。方法１３００の動作は、本明細書で説明したＵＥ１１５、２１５、３１５またはそれの構成要素によって実装され得る。たとえば、方法１３００の動作は、図４〜図７を参照しながら説明したＵＥ通信マネージャによって実行され得る。いくつかの例では、ＵＥ１１５、２１５、３１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０１７２】
[0179]  ブロック１３０５において、ＵＥ３１５は、測定すべき１つまたは複数のビームのビームパラメータを示す第１のメッセージを第１の基地局から受信し得る。ブロック１３０５の動作は、本明細書で説明される方法に従って実行され得る。いくつかの例では、ブロック１３０５の動作の態様は、図４〜図７を参照しながら説明した報告マネージャによって実行され得る。第１のメッセージは、測定メッセージであり得、第１のメッセージおよび測定メッセージという用語は互換的に使用され得る。
【０１７３】
[0180]  ブロック１３１０において、ＵＥ３１５は、第１のメッセージを受信することに少なくとも部分的に基づいてビームパラメータを含む測定報告を送信し得、ここで、時間ウィンドウメッセージを受信することは、測定報告の送信に少なくとも部分的に基づく。ブロック１３１０の動作は、本明細書で説明される方法に従って実行され得る。いくつかの例では、ブロック１３１０の動作の態様は、図４〜図７を参照しながら説明した報告マネージャによって実行され得る。
【０１７４】
[0181]  ブロック１３１５において、ＵＥ３１５は、ダウンリンクビームを監視するための時間ウィンドウを示す第２のメッセージを第１の基地局から受信し得る。ブロック１３１５の動作は、本明細書で説明される方法に従って実行され得る。いくつかの例では、ブロック１３１５の動作の態様は、図４〜図７を参照しながら説明した監視マネージャによって実行され得る。第２のメッセージは、時間ウィンドウメッセージであり得、時間ウィンドウメッセージおよび第２のメッセージという用語は、互換的に使用され得る。
【０１７５】
[0182]  ブロック１３２０において、ＵＥ３１５は、第２のメッセージを受信することに少なくとも部分的に基づいて時間ウィンドウ中にダウンリンクビームを監視し得る。ブロック１３２０の動作は、本明細書で説明される方法に従って実行され得る。いくつかの例では、ブロック１３２０の動作の態様は、図４〜図７を参照しながら説明した監視マネージャによって実行され得る。
【０１７６】
[0183]  図１４に、本開示の態様による、ビームペアリンクを確立するための技法のための方法１４００を示すフローチャートを示す。方法１４００の動作は、本明細書で説明した基地局１０５、２０５、２１０、３０５、３１０またはそれの構成要素によって実装され得る。たとえば、方法１４００の動作は、図８〜図１１を参照しながら説明した基地局通信マネージャによって実行され得る。いくつかの例では、基地局１０５、２０５、２１０、３０５、３１０は、以下で説明される機能を実行するようにデバイスの機能要素を制御するためのコードのセットを実行し得る。追加または代替として、基地局１０５、２０５、２１０、３０５、３１０は、専用ハードウェアを使用して、以下で説明される機能の態様を実施し得る。
【０１７７】
[0184]  ブロック１４０５において、マスタ基地局３０５は、測定すべき１つまたは複数のビームのビームパラメータを示す第１のメッセージをＵＥに送信し得る。ブロック１４０５の動作は、本明細書で説明される方法に従って実行され得る。いくつかの例では、ブロック１４０５の動作の態様は、図８〜図１１を参照しながら説明した報告マネージャによって実行され得る。
【０１７８】
[0185]  ブロック１４１０において、マスタ基地局３０５は、第１のメッセージを送信することに少なくとも部分的に基づいてビームパラメータを含む測定報告を受信し得る。ブロック１４１０の動作は、本明細書で説明される方法に従って実行され得る。いくつかの例では、ブロック１４１０の動作の態様は、図８〜図１１を参照しながら説明した報告マネージャによって実行され得る。
【０１７９】
[0186]  ブロック１４１５において、マスタ基地局３０５は、測定報告中に含まれる情報に少なくとも部分的に基づいてダウンリンクビームを監視するための時間ウィンドウを決定し得る。ブロック１４１５の動作は、本明細書で説明される方法に従って実行され得る。いくつかの例では、ブロック１４１５の動作の態様は、図８〜図１１を参照しながら説明した監視マネージャによって実行され得る。
【０１８０】
[0187]  ブロック１４２０において、マスタ基地局３０５は、ダウンリンクビームを監視するための時間ウィンドウを示す第２のメッセージをＵＥに送信し得る。ブロック１４２０の動作は、本明細書で説明される方法に従って実行され得る。いくつかの例では、ブロック１４２０の動作の態様は、図８〜図１１を参照しながら説明した監視マネージャによって実行され得る。
【０１８１】
[0188]  図１５に、本開示の態様による、ビームペアリンクを確立するための技法のための方法１５００を示すフローチャートを示す。方法１５００の動作は、本明細書で説明した基地局１０５、２０５、２１０、３０５、３１０またはそれの構成要素によって実装され得る。たとえば、方法１５００の動作は、図８〜図１１を参照しながら説明した基地局通信マネージャによって実行され得る。いくつかの例では、基地局１０５、２０５、２１０、３０５、３１０は、以下で説明される機能を実行するようにデバイスの機能要素を制御するためのコードのセットを実行し得る。追加または代替として、基地局１０５、２０５、２１０、３０５、３１０は、専用ハードウェアを使用して、以下で説明される機能の態様を実施し得る。
【０１８２】
[0189]  ブロック１５０５において、２次基地局３１０は、複数の方向に複数のダウンリンクビームを送信し得る。ブロック１５０５の動作は、本明細書で説明される方法に従って実行され得る。いくつかの例では、ブロック１５０５の動作の態様は、図８〜図１１を参照しながら説明したアクセスマネージャによって実行され得る。
【０１８３】
[0190]  ブロック１５１０において、２次基地局３１０は、送信されたダウンリンクビームのうちの少なくとも１つに少なくとも部分的に基づいてＵＥからメッセージを受信し得る。ブロック１５１０の動作は、本明細書で説明される方法に従って実行され得る。いくつかの例では、ブロック１５１０の動作の態様は、図８〜図１１を参照しながら説明したアクセスマネージャによって実行され得る。
【０１８４】
[0191]  ブロック１５１５において、２次基地局３１０は、メッセージを受信することに基づいてＵＥとのタイミングアラインメントを決定し得る。ブロック１５１５の動作は、本明細書で説明される方法に従って実行され得る。いくつかの例では、ブロック１５１５の動作の態様は、図８〜図１１を参照しながら説明したタイミングアラインメントマネージャによって実行され得る。
【０１８５】
[0192]  ブロック１５２０において、２次基地局３１０は、タイミングアラインメントを決定することに少なくとも部分的に基づいてビームペアリンクを確立し得る。ブロック１５２０の動作は、本明細書で説明される方法に従って実行され得る。いくつかの例では、ブロック１５２０の動作の態様は、図８〜図１１を参照しながら説明したリンクマネージャによって実行され得る。
【０１８６】
[0193]  上記で説明される方法が、可能な実装形態を表すこと、ならびに動作およびステップが並べ替えられるかあるいは別の様態で変更され得ること、ならびに他の実装形態が可能であることに留意されたい。さらに、方法のうちの２つ以上からの態様が組み合わされ得る。
【０１８７】
[0194]  本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。ＣＤＭＡシステムは、ＣＤＭＡ２０００、ユニバーサル地上波無線アクセス（ＵＴＲＡ）などのような無線技術を実装し得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘなどと呼ばれることがある。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標））などの無線技術を実装し得る。
【０１８８】
[0195]  ＯＦＤＭＡシステムは、ウルトラモバイルブロードバンド（ＵＭＢ）、発展型ＵＴＲＡ（Ｅ−ＵＴＲＡ）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標））という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書において説明される技法は、上記のシステムおよび無線技術、ならびに他のシステムおよび無線技術に使用され得る。ＬＴＥまたはＮＲシステムの態様が例として説明され得、ＬＴＥまたはＮＲ用語が説明の大部分において使用され得るが、本明細書で説明される技法は、ＬＴＥまたはＮＲ適用例を越えて適用可能である。
【０１８９】
[0196]  マクロセルは、一般に、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、低電力基地局１０５に関連付けられ得、スモールセルは、マクロセルと同じかまたは異なる（たとえば、認可、無認可などの）周波数帯域で動作し得る。スモールセルは、様々な例によれば、ピコセル、フェムトセルおよびマイクロセルを含み得る。ピコセルは、たとえば、小さい地理的エリアをカバーし得、ネットワークプロバイダのサービスに加入しているＵＥ１１５による無制限アクセスを可能にし得る。フェムトセルも、小さい地理的エリア（たとえば、自宅）をカバーし得、フェムトセルとの関連付けを有するＵＥ１１５（たとえば、限定加入者グループ（ＣＳＧ）内のＵＥ１１５、自宅内のユーザのためのＵＥ１１５など）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セルをサポートし得、また、１つまたは複数のコンポーネントキャリアを使用した通信をサポートし得る。
【０１９０】
[0197]  ワイヤレス通信システム１００または本明細書で説明されるシステムは、同期動作または非同期動作をサポートし得る。同期動作の場合、基地局１０５は同様のフレームタイミングを有し得、異なる基地局１０５からの送信は時間的にほぼ整合され得る。非同期動作の場合、基地局１０５は異なるフレームタイミングを有し得、異なる基地局１０５からの送信は時間的に整合されないことがある。本明細書で説明される技法は、同期動作または非同期動作のいずれかのために使用され得る。
【０１９１】
[0198]  本明細書で説明される情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１９２】
[0199]  本明細書の開示に関して説明される様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実施するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つもしくは複数のマイクロプロセッサ、または任意の他のそのような構成）としても実装され得る。
【０１９３】
[0200]  本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、あるいはコンピュータ可読媒体を介して送信され得る。他の例および実装形態は、本開示の範囲内および添付の特許請求の範囲内にある。たとえば、ソフトウェアの性質により、上記で説明される機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。
【０１９４】
[0201]  コンピュータ可読媒体は、ある場所から別の場所へのコンピュータプログラムの転送を容易にする任意の媒体を含む、非一時的コンピュータ記憶媒体と通信媒体との両方を含む。非一時的記憶媒体は、汎用コンピュータまたは専用コンピュータによってアクセスすることができる任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、フラッシュメモリ、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（ｄｉｓｋ）およびディスク（ｄｉｓｃ）は、ＣＤ、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）およびＢｌｕ−ｒａｙ（登録商標）ディスク（ｄｉｓｃ）を含み、ここで、ディスク（ｄｉｓｋ）は、通常、データを磁気的に再生し、ディスク（ｄｉｓｃ）は、データをレーザーで光学的に再生する。上記の組合せもコンピュータ可読媒体の範囲内に含まれる。
【０１９５】
[0202]  特許請求の範囲内を含めて本明細書で使用する、項目のリスト（たとえば、「のうちの少なくとも１つ」または「のうちの１つまたは複数」などの句で終わる項目のリスト）内で使用される「または」は、たとえば、Ａ、Ｂ、またはＣのうちの少なくとも１つのリストが、ＡまたはＢまたはＣまたはＡＢまたはＡＣまたはＢＣまたはＡＢＣ（たとえば、ＡおよびＢおよびＣ）を意味するような包括的なリストを示す。また、本明細書で使用される「に基づいて」という句は、条件の閉集合への参照として解釈されるべきでない。たとえば、「条件Ａに基づいて」と記述された例示的なステップは、本開示の範囲から逸脱することなく条件Ａと条件Ｂとの両方に基づき得る。言い換えれば、本明細書で使用される場合、「に基づいて」という句は、「に少なくとも部分的に基づいて」という句と同様に解釈されたい。
【０１９６】
[0203]  添付の図では、同様の構成要素または特徴は同じ参照ラベルを有し得る。さらに、同じタイプの様々な構成要素が、参照ラベルの後に、ダッシュと、同様の構成要素を区別する第２のラベルとを続けることによって区別され得る。第１の参照ラベルのみが本明細書において使用される場合、説明は、第２の参照ラベルまたは他の後の参照ラベルにかかわらず、同じ第１の参照ラベルを有する同様の構成要素のいずれにも適用可能である。
【０１９７】
[0204]  添付の図面に関して本明細書に記載した説明は、例示的な構成について説明しており、実装され得るまたは特許請求の範囲内に入るすべての例を表すとは限らない。本明細書で使用する「例示的」という用語は、「例、事例、または例示の働きをすること」を意味し、「好ましい」または「他の例よりも有利な」を意味しない。詳細な説明は、説明された技法の理解を与えるための具体的な詳細を含む。しかしながら、これらの技法は、これらの特定の詳細なしに実践され得る。いくつかの事例では、説明された例の概念を不明瞭にすることを回避するために、よく知られている構造およびデバイスがブロック図の形式で示される。
【０１９８】
[0205]  本明細書の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【図１】
2020533910.tif 000003
【図２】
2020533910.tif 000004
【図３】
2020533910.tif 000005
【図４】
2020533910.tif 000006
【図５】
2020533910.tif 000007
【図６】
2020533910.tif 000008
【図７】
2020533910.tif 000009
【図８】
2020533910.tif 000010
【図９】
2020533910.tif 000011
【図１０】
2020533910.tif 000012
【図１１】
2020533910.tif 000013
【図１２】
2020533910.tif 000014
【図１３】
2020533910.tif 000015
【図１４】
2020533910.tif 000016
【図１５】
2020533910.tif 000017
【国際調査報告】
2020533910.tif 000018
2020533910.tif 000019
2020533910.tif 000020